(57)【要約】  所定の実施形態におけるワイヤレス通信システムは、ワイヤレス・デバイスと、少なくとも１つのネットワーク接続および高周波送受信機を有する基地局とを備える。基地局は、高周波信号を生成するとともに後方散乱通信を使用して、ワイヤレス・デバイスと通信するように構成される。ワイヤレス・デバイスは、高周波信号からワイヤレス・デバイスのための動作電力を生成し、高周波信号を使用して送信されるデータを受信し、後方散乱通信を使用して基地局にデータを通信するように構成される。
2016519865.tif 000002
【特許請求の範囲】
【請求項１】
ワイヤレス通信システムであって、
ワイヤレス・デバイスと、
少なくとも１つのネットワーク接続および高周波送受信機を有する基地局とを備え、前記高周波送受信機は、
前記基地局プロセッサを使用して高周波信号を生成するとともに後方散乱通信を使用してワイヤレス・デバイスと通信するように構成され、
前記ワイヤレス・デバイスは、前記高周波信号から前記ワイヤレス・デバイスのための動作電力を生成し、前記高周波信号を使用して送信されるデータを受信し、後方散乱通信を使用して前記基地局にデータを通信するように構成されることを特徴とするワイヤレス通信システム。
【請求項２】
前記ワイヤレス・デバイスは、前記高周波信号を使用して送信される前記データを受信するために前記高周波信号から生成される前記動作電力を使用するように構成されることを特徴とする請求項１に記載のシステム。
【請求項３】
前記ワイヤレス・デバイスは、前記高周波信号から生成される前記動作電力のみに依存することにより、前記高周波信号を使用して送信される前記データを受信するように構成されることを特徴とする請求項２に記載のシステム。
【請求項４】
前記高周波信号を使用して送信されるデータのうちの少なくともいくつかは、タイプによって制限されるか優先されることを特徴とする請求項１に記載のシステム。
【請求項５】
前記ワイヤレス・デバイスは、低電力の警告を生成するように構成されることを特徴とする請求項１に記載のシステム。
【請求項６】
前記低電力の警告は、一体的な要素および周辺機器のいずれかによって生成されることを特徴とする請求項５に記載のシステム。
【請求項７】
各々ユニークなアドレスを有するとともに各々前記高周波信号から動作電力を生成するように構成される複数のワイヤレス・デバイスをさらに含み、前記基地局は、前記複数のワイヤレス・デバイスの各々から後方散乱通信を受信するように構成されることを特徴とする請求項１に記載のシステム。
【請求項８】
前記基地局は、前記高周波信号を使用して前記ワイヤレス・デバイスの各々にデータを送信するように構成されることを特徴とする請求項７に記載のシステム。
【請求項９】
少なくとも１つのネットワーク接続および高周波送受信機を有する基地局のプロセッサを使用して高周波信号を生成する工程と、
後方散乱通信を使用してワイヤレス・デバイスと通信する工程とを含み、前記ワイヤレス・デバイスは、前記高周波信号から前記ワイヤレス・デバイスのための動作電力を生成するように構成され、また、前記高周波信号を使用して送信されるデータを受信するとともに前記後方散乱通信を使用して前記基地局にデータを通信するように構成されることを特徴とする方法。
【請求項１０】
前記ワイヤレス・デバイスは、前記高周波信号を使用して送信される前記データを受信するために前記高周波信号から生成される前記動作電力を使用するように構成されることを特徴とする請求項１に記載の方法。
【請求項１１】
前記ワイヤレス・デバイスは、前記高周波信号から生成される前記動作電力のみに依存することにより、前記高周波信号を使用して送信される前記データを受信するように構成されることを特徴とする請求項１０に記載の方法。
【請求項１２】
前記高周波信号を使用して送信されるデータのうちの少なくともいくつかは、タイプによって制限されるか優先されることを特徴とする請求項１に記載の方法。
【請求項１３】
前記ワイヤレス・デバイスは、低電力の警告を生成するように構成されることを特徴とする請求項１に記載の方法。
【請求項１４】
前記低電力の警告は、一体的な要素および周辺機器のいずれかによって生成されることを特徴とする請求項１３に記載の方法。
【請求項１５】
ソフトウェアを具体化する１つまたは複数の非一時的なコンピュータ可読記憶媒体であって、該ソフトウェアは実行時に、
少なくとも１つのネットワーク接続および高周波送受信機を有する基地局のプロセッサを使用して高周波信号を生成し、
後方散乱通信を使用してワイヤレス・デバイスと通信するように動作可能であり、前記ワイヤレス・デバイスは、前記高周波信号から前記ワイヤレス・デバイスのための動作電力を生成するように構成され、また、前記高周波信号を使用して送信されるデータを受信するとともに前記後方散乱通信を使用して前記基地局にデータを通信するように構成されることを特徴とするコンピュータ可読記憶媒体。
【請求項１６】
前記ワイヤレス・デバイスは、前記高周波信号を使用して送信される前記データを受信するために前記高周波信号から生成される前記動作電力を使用するように構成されることを特徴とする請求項１５に記載の媒体。
【請求項１７】
前記ワイヤレス・デバイスは、前記高周波信号から生成される前記動作電力のみに依存することにより、前記高周波信号を使用して送信される前記データを受信するように構成されることを特徴とする請求項１６に記載の媒体。
【請求項１８】
前記高周波信号を使用して送信されるデータのうちの少なくともいくつかは、タイプによって制限されるか優先されることを特徴とする請求項１５に記載の媒体。
【請求項１９】
各々ユニークなアドレスを有するとともに各々前記高周波信号から動作電力を生成するように構成される複数のワイヤレス・デバイスをさらに含み、前記基地局は、前記複数のワイヤレス・デバイスの各々から後方散乱通信を受信するように構成されることを特徴とする請求項１５に記載の媒体。
【請求項２０】
前記基地局は、前記高周波信号を使用して前記ワイヤレス・デバイスの各々にデータを送信するように構成されることを特徴とする請求項１９に記載の媒体。
【発明の詳細な説明】
【技術分野】
【０００１】
携帯電話およびＢｌｕｅｔｏｏｔｈ（登録商標）ヘッドセットのような現在の通信装置は、動作するためのバッテリ電力を要求する。ユーザは装置を操作するために頻繁にバッテリを充電する必要がある。
【背景技術】
【０００２】
無線周波数識別（ＲＦＩＤ）技術により、無線ＲＦＩＤタグは、後方散乱通信技術を使用して、バッテリがなくても単純な識別データを送信可能である。ＲＦＩＤ読取装置は、高周波（ＲＦ）を使用することにより電力を供給し、ＲＦＩＤタグと通信する。ＲＦＩＤタグは、タグの識別を通信するためにＲＦＩＤ読取装置に少量のデータを送信する。いくつかの装置は、上述したものなどのコンテンツをダウンロードするバックグラウンドタスクから長い電池寿命を達成するために、オペレーションのデューティサイクルを要する。このデューティサイクルは低く、所定の最大のデータ容量を超過しない場合、一日じゅうオペレーションを許可するレベルに電池寿命を保存する。
【発明の概要】
【発明が解決しようとする課題】
【０００３】
しかしながら、デューティサイクル・オペレーションは潜在性を犠牲にして生じる。
【課題を解決するための手段】
【０００４】
所定の実施形態におけるワイヤレス通信システムは、ワイヤレス・デバイスと、少なくとも１つのネットワーク接続および高周波送受信機を有する基地局とを備える。基地局は、高周波信号を生成するとともに後方散乱通信を使用して、ワイヤレス・デバイスと通信するように構成される。ワイヤレス・デバイスは、高周波信号からワイヤレス・デバイスのための動作電力を生成し、高周波信号を使用して送信されるデータを受信し、後方散乱通信を使用して基地局にデータを通信するように構成される。
【図面の簡単な説明】
【０００５】
【図１】本発明の態様に従う基地局および複数のワイヤレス通信装置を示す図。
【図２】本発明の態様に従うワイヤレス通信装置の動作方法を示すフローチャート図。
【図３】本発明の態様に従うワイヤレス通信装置のいくつかの要素を示すブロック図。
【図４】本発明の態様に従うイヤホンに接続される回路を示す回路図。
【図５】本発明の態様に従う音声出力装置に電力を供給する方法を示すフローチャート図。
【図６】本発明の態様に従うマイクロホンに接続される回路を示す回路図。
【図７】本発明の態様に従う音声入力を受信する方法を示すフローチャート図。
【図８Ａ】本発明の態様に従う変圧器を示す正面回路図。
【図８Ｂ】本発明の態様に従う変圧器を示す側面斜視図。
【図８Ｃ】本発明の態様に従う変圧器コアおよび巻線を示す分解図。
【図９】本発明の態様に従う受信機に送信される信号のパスを示す基地局の回路図。
【図１０】本発明の態様に従うワイヤレス通信装置を示すブロック図。
【図１１】本発明の態様に従うデュアル・モード・ワイヤレス通信装置においてデータを送受信する方法を示すフローチャート図。
【図１２】ソーシャルネットワーキング・システムに関連付けられたネットワーク環境を例示する図。
【図１３】ソーシャルグラフを例示する図。
【発明を実施するための形態】
【０００６】
添付の図面は、縮尺を正確に示すようには意図されない。図面において、様々な図に示される同一または略同一の要素は各々同様の参照符号によって示される。明瞭さのために、すべての図面においてすべての要素に符号が付されているわけではない。
【０００７】
一態様によれば、バッテリなしで動作するワイヤレス通信装置が提供される。別の態様によれば、バッテリから電力を得なくてもいくつかの通信機能を行うことができるワイヤレス通信装置が提供される。別の態様によれば、最小量のバッテリ電力、すなわち現在の通信装置よりも相当少ないバッテリ電力を使用していくつかの通信機能を行うことができるワイヤレス通信装置が提供される。
【０００８】
一実施形態によれば、ワイヤレス・デバイスは、高周波信号を受信するように構成されるとともに高周波信号から出力データ信号を受信するように構成されるＲＦインターフェース、出力データ信号を受信するとともに出力アナログ信号を供給するように構成される論理回路、およびＲＦインターフェースに接続されるとともに高周波信号からの派生ＤＣ動作電力をＲＦインターフェースおよび論理回路に供給するように構成される電力回路を備える。ワイヤレス・デバイスは、論理回路に接続される入力を有するとともに出力を有する第１のインピーダンス・マッチング変圧器、および第１のインピーダンス・マッチング変圧器の出力に接続されるとともに出力アナログ信号に基づいて音声信号を生成するように構成される第１の変換器を含む。
【０００９】
一実施形態によれば、ワイヤレス・デバイスは、入力音声信号を受信するとともに論理回路に入力アナログ信号を供給するように構成される第２の変換器を含む。論理回路は、入力アナログ信号を受信するとともに入力アナログ信号に基づく入力データ信号をＲＦインターフェースに供給するように構成される。ＲＦインターフェースは、入力データ信号を受信するとともに入力データ信号に基づいて高周波信号を変調するように構成される。一実施形態によれば、ワイヤレス・デバイスは、第２の変換器と論理回路との間に接続される第２のインピーダンス・マッチング変圧器をさらに含む。別例によれば、第１のインピーダンス・マッチング変圧器は複数のスイッチを含み、これらは第１のインピーダンス・マッチング変圧器の巻数比を調整するように構成可能である。別例によれば、論理回路は、第１のインピーダンス・マッチング変圧器に接続される出力を有するデジタル・アナログ変換器を含む。論理回路は、第２の変換器に接続される入力を有するアナログ・デジタル変換器を含む。
【００１０】
一実施形態によれば、ワイヤレス・デバイスは着用可能なヘッドホンとして構成される。別例によれば、ワイヤレス・デバイスは、イメージを捕捉するとともに論理回路にイメージに関するデータを供給するように構成されるイメージ・センサを含む。
【００１１】
別例においては、ワイヤレス通信システムは、ワイヤレス・デバイスおよび少なくとも１つのネットワーク接続を有する基地局、並びに高周波信号を生成するとともにワイヤレス・デバイスと後方散乱通信を使用して通信するように構成される高周波送受信機を含む。ワイヤレス・デバイスは、高周波信号からワイヤレス・デバイスのための動作電力を生成するように構成される。ワイヤレス・デバイスは、音声信号を受信するとともに後方散乱通信を使用して、基地局に音声信号と関係するデータを通信するようにさらに構成される。
【００１２】
一実施形態によれば、ワイヤレス通信システムのワイヤレス・デバイスは、ワイヤレス・デバイス内の信号を処理するように構成される論理回路、音声出力信号を生成するように構成される第１の変換器、および入力音声信号を受信するとともに論理回路に入力アナログ信号を供給するように構成される第２の変換器を含む。論理回路は、高周波信号からデータを受信するとともに第１の変換器に出力アナログ信号を供給するように構成される。
【００１３】
様々な実施形態によれば、ワイヤレス・デバイスは、論理回路と第１の変換器との間に接続される第１のインピーダンス・マッチング変圧器を含む。ワイヤレス・デバイスは、第２の変換器と論理回路との間に接続される第２のインピーダンス・マッチング変圧器を含む。論理回路は、第１のインピーダンス・マッチング変圧器に接続される出力を有するデジタル・アナログ変換器を含む。論理回路は、第２の変換器に接続される入力を有するアナログ・デジタル変換器を含む。
【００１４】
一実施形態によれば、ワイヤレス・デバイスは着用可能なヘッドホンとして構成される。別例によれば、ワイヤレス・デバイスは、イメージを捕捉するとともに論理回路にイメージに関するデータを供給するように構成されるイメージ・センサを含む。
【００１５】
一実施形態によれば、無線通信は、各々ユニークなアドレスを有するとともに各々高周波信号から動作電力を生成するように構成される複数のワイヤレス・デバイスを含む。基地局はワイヤレス・デバイスの各々から後方散乱通信を受信するように構成される。一実施形態によれば、基地局は高周波信号を使用して、ワイヤレス・デバイスの各々にデータを送信するように構成される。
【００１６】
一実施形態において、ワイヤレス・デバイスを操作する方法は、ワイヤレス・デバイスの高周波信号を受信する工程、高周波信号から派生する出力データ信号を生成する工程、第１のインピーダンス・マッチング装置を使用して出力データ信号を出力アナログ信号に変換する工程、高周波信号からワイヤレス・デバイスのためのＤＣ動作電力を得る工程、およびインピーダンス・マッチング装置の出力に接続されるワイヤレス・デバイスの第１の変換器を使用して、出力アナログ信号に基づいて出力音声信号を生成する工程を含む。
【００１７】
一実施形態によれば、ワイヤレス・デバイスを操作する方法は、入力音声信号を受信するためにワイヤレス・デバイスの第２の変換器を使用する工程、入力音声信号に基づき入力データ信号を生成する工程、および入力データ信号に基づき高周波信号を変調する工程を含む。別例によれば、方法は、イメージを捕捉するとともに高周波信号のソースにイメージに関するデータを供給するために、ワイヤレス・デバイスのイメージ・センサを使用する工程を含む。
【００１８】
一実施形態によるワイヤレス・デバイスを操作する方法によれば、入力データ信号を生成する工程は、第２の変換器の出力に接続される入力を有する第２のインピーダンス・マッチング変圧器を使用する工程を含む。別例によれば、第１のインピーダンス・マッチング変圧器を使用する工程は、第１のインピーダンス・マッチング変圧器の巻数比を調整するために複数のスイッチを構成する工程を含む。さらなる実施形態によれば、出力データ信号を出力アナログ信号に変換する工程は、第１のインピーダンス・マッチング変圧器に接続されるデジタル・アナログ変換器を使用する工程を含む。別例によれば、入力データ信号を生成する工程は、第２の変換器に接続されるアナログ・デジタル変換器を使用する工程を含む。
【００１９】
一実施形態においては、ワイヤレス・デバイスと基地局との間で通信する方法は、基地局から高周波信号を生成する工程、ワイヤレス・デバイスで高周波信号を受信する工程、高周波信号からワイヤレス・デバイスのための動作電力を得る工程、ワイヤレス・デバイスで音声入力信号を受信する工程、高周波信号を音声入力信号に基づき変調して変調高周波信号を生成するためにワイヤレス・デバイスを使用する工程、および基地局で変調高周波信号を受信する工程を含む。
【００２０】
一実施形態におけるワイヤレス・デバイスと基地局との間で通信する方法によれば、ワイヤレス・デバイスは、音声出力信号を生成するように構成される第１の変換器、および音声入力信号を受信するように構成される第２の変換器を含む。方法は、高周波信号からデータを受信する工程、および受信したデータに基づいて第１の変換器に出力信号を供給する工程をさらに含む。
【００２１】
一実施形態におけるワイヤレス・デバイスと基地局との間で通信する方法によれば、方法は、第１の変換器の入力で第１のインピーダンス・マッチング装置を使用する工程を含む。別例において、方法は、第２の変換器の出力で第２のインピーダンス・マッチング装置を使用する工程を含む。別例によれば、方法は、第１のインピーダンス・マッチング変圧器に接続されるデジタル・アナログ変換器を使用して、出力データ信号を出力アナログ信号に変換する工程を含む。さらなる実施形態において、方法は、第２の変換器に接続されるアナログ・デジタル変換器を使用する工程を含む。
【００２２】
一実施形態におけるワイヤレス・デバイスと基地局との間で通信する方法によれば、方法は、イメージを捕捉するためにワイヤレス・デバイスのイメージ・センサを使用する工程、および基地局にイメージに関するデータを供給する工程を含む。別例によれば、方法は、ワイヤレス・デバイスによりテキスト情報を受信する工程、および基地局にテキスト情報と関係するデータを供給する工程を含む。
【００２３】
一実施形態におけるワイヤレス・デバイスと基地局との間で通信する方法によれば、方法は、各々ユニークなアドレスを有するとともに各々高周波信号から動作電力を生成するように構成される複数のワイヤレス・デバイスを設ける工程を含む。方法は、基地局によってワイヤレス・デバイスのうちの１つを選択する工程、ワイヤレス・デバイスのうちの１つのユニークなアドレスを使用する工程、およびワイヤレス・デバイスのうちの１つから後方散乱通信を受信する工程を含む。一実施形態によれば、方法は基地局からワイヤレス・デバイスの各々に高周波信号を使用してデータを送信する工程を含む。
【００２４】
一実施形態において、ワイヤレス通信装置は、第１の動作モードでワイヤレス通信装置を動作させる電力を供給するように構成されるバッテリ、バッテリに接続されるとともに第１の動作モードでバッテリ電力で動作するように構成される処理部、および高周波信号を受信するとともに第２の動作モードでワイヤレス通信装置を動作させる電力を高周波信号から生成するように構成されるＲＦインターフェースを含む。ワイヤレス通信装置は、利用可能なＲＦ電力を検知するとともに第１の動作モードから第２の動作モードに入るように構成される。
【００２５】
一実施形態によれば、ワイヤレス通信装置は、第１の動作モードにおいて、携帯電話、タブレット・コンピュータ、あるいはノートブック・コンピュータとして機能するように構成される。別例によれば、ワイヤレス通信装置は、処理部が第２の動作モードにおいてスリープモードに入るように構成される。ワイヤレス・デバイスは、メモリ素子の充填状態を検知し、充填状態に基づいて処理部をスリープモードからアクティブ・モードに変更し、メモリ素子によりデータ転送を行うようにさらに構成される。充填状態は、メモリが満たされていること、メモリが空であること、あるいはメモリが選択されたパーセントだけ満たされているか空であることを示す。
【００２６】
別例によれば、ワイヤレス通信装置のＲＦインターフェースは、第２の動作モードで高周波信号からデータを受信するように構成され、また、ワイヤレス通信装置は、メモリ素子にデータを格納するように構成される。別例において、ＲＦインターフェースは、高周波信号を変調するとともに高周波信号のソースと後方散乱通信するように構成される。別例によれば、ワイヤレス通信装置は、メモリからデータを読み込むとともに高周波信号を変調することにより高周波信号のソースに出力メッセージを提供するように構成される。別例において、ワイヤレス通信装置は、メモリからデータを読み込むとともに高周波信号を変調することにより高周波信号のソースに出力メッセージを提供するように構成される。
【００２７】
一実施形態において、ワイヤレス通信装置と通信する方法は、ワイヤレス通信装置に含まれるバッテリによって供給される動作電力を使用して、第１の動作モードでワイヤレス通信装置を動作させる工程、高周波信号の存在を検知する工程、およびこれに応じて、高周波信号から派生する動作電力を使用してワイヤレス通信装置を第２の動作モードで動作させる工程を含む。
【００２８】
一実施形態によれば、ワイヤレス通信装置と通信する方法は、第１の動作モードで携帯電話、タブレット・コンピュータ、あるいはノートブック・コンピュータとしてのワイヤレス通信装置を動作させる工程を含む。別例によれば、方法は、メモリの記憶レベルが限界に達したことを検知する工程、および非アクティブ状態からアクティブ状態にワイヤレス通信装置のプロセッサを変更する工程を含む。別例においては、方法は第２の動作モードのワイヤレス通信装置の高周波信号からデータを抽出する工程、およびワイヤレス通信装置のメモリにデータを格納する工程を含む。
【００２９】
一実施形態によれば、ワイヤレス通信装置と通信する方法は、プロセッサを使用して、メモリからデータを移動させる工程を含む。別例において、方法はメモリからデータを読み取る工程、および高周波信号を変調することによりワイヤレス通信装置から出力メッセージを提供する工程を含む。別例によれば、方法は、高周波信号のソースと後方散乱通信するワイヤレス通信装置によって、高周波信号を変調する工程を含む。
【００３０】
一実施形態におけるワイヤレス通信装置と通信する方法によれば、高周波信号を変調する工程は、ワイヤレス通信装置の識別データで高周波信号を変調する工程を含む。別例においては、高周波信号のソースは少なくとも１つのネットワーク接続を有する基地局であり、方法は、基地局で識別データを受信する工程、およびネットワーク接続上の少なくとも１台のリモート装置に識別データを供給する工程を含む。別例によれば、方法は、ネットワーク接続上で、ワイヤレス通信装置のためのメッセージを基地局で受信する工程、およびワイヤレス通信装置にメッセージを提供するために高周波信号を変調する工程を含む。
【００３１】
一実施形態におけるワイヤレス通信装置と通信する方法によれば、高周波信号のソースは少なくとも１つのネットワーク接続を有する基地局である。方法は、基地局でワイヤレス・デバイスからデータを受信する工程、およびネットワーク接続上でリモート装置にデータを供給する工程を含む。別例によれば、方法はメモリからデータを読み取る工程、および高周波信号を変調することによりワイヤレス通信装置から出力メッセージを提供する工程を含む。
【００３２】
一実施形態において、ワイヤレス通信システムは、ワイヤレス・デバイスおよび少なくとも１つのネットワーク接続を有する基地局、並びに高周波信号を生成するとともにワイヤレス・デバイスと後方散乱通信を使用して通信するように構成される高周波送受信機を含む。ワイヤレス・デバイスは、第１の動作モードでワイヤレス・デバイスを動作させる電力を供給するように構成されるバッテリ、バッテリに接続されるとともに第１の動作モードでバッテリ電力で動作するように構成される処理部、および基地局から高周波信号を受信するとともに第２の動作モードでワイヤレス・デバイスを動作させる電力を高周波信号から生成するように構成されるＲＦインターフェースを含む。ワイヤレス・デバイスは、利用可能なＲＦ電力を検知するとともに第１の動作モードから第２の動作モードに入るように構成される。
【００３３】
一実施形態によれば、ワイヤレス通信システムは、第１の動作モードにおいて、携帯電話、タブレット・コンピュータ、あるいはノートブック・コンピュータとして機能するように構成される。別例によれば、ワイヤレス・デバイスは、処理部が第２の動作モードにおいてスリープモードに入るように構成され、また、ワイヤレス・デバイスは、メモリ素子の充填状態を検知し、充填状態に基づいて処理部をスリープモードからアクティブ・モードに変更し、メモリ素子によりデータ転送を行うように構成される。
【００３４】
別例によれば、ワイヤレス通信システムのＲＦインターフェースは、第２の動作モードで高周波信号からデータを受信するように構成され、また、ワイヤレス・デバイスは、メモリ素子にデータを格納するように構成される。別例によれば、ＲＦインターフェースは基地局にデータを供給するために高周波信号を変調するように構成される。別例において、ワイヤレス・デバイスは、メモリからデータを読み込むとともに高周波信号を変調することにより高周波信号のソースに出力メッセージを提供するように構成される。別例において、ＲＦインターフェースはワイヤレス・デバイスの識別データにより高周波信号を変調するように構成される。
【００３５】
一実施形態によれば、ワイヤレス通信システムの基地局は、識別データを受信するとともにネットワーク接続上で少なくとも１台のリモート装置に識別データを供給するように構成される。別例によれば、基地局は、ネットワーク接続上で、リモート装置からワイヤレス・デバイスのためのメッセージを受信するとともにワイヤレス・デバイスにメッセージを供給するために高周波信号を変調するようにさらに構成される。別例において、基地局は、基地局でワイヤレス・デバイスからデータを受信するとともにネットワーク接続上で、リモート装置にデータを供給するように構成される。別例によれば、ＲＦインターフェースは、第２の動作モードで高周波信号からデータを受信するように構成され、また、ワイヤレス・デバイス置は、メモリ素子にデータを格納するように構成される。
【００３６】
本発明の実施形態は、後述の明細書および添付の図面に開示される要素の構成および配置の詳細に制限されるものではない。本発明の実施形態は、様々な方法で実施乃至実行可能である。さらに、ここに使用される語法および用語は、開示のためのものであり、制限するものとみなされるべきではない。「含む」、「備える」、あるいは「有する」またはその変形は、後述の明細書に挙げられる部材、その均等物の他、付加的な部材も包含することを示す。
【００３７】
本発明の少なくともいくつかの実施形態において、いくつかの例におけるバッテリを備えない低電力ワイヤレス通信装置が開示され、別例において、ワイヤレス通信装置はバッテリを含むが、複数の動作モードを有し、モードのうちの少なくともいくつかは、バッテリからほとんどまたはまったく電力を要しない。異なる例におけるワイヤレス通信装置は、ウォーキートーキー、オーディオ音楽プレーヤ、リモート・コントロール、デスクトップ、ラップトップ、およびタブレット・コンピュータを含むコンピュータ・システムのようなコードレス電話装置、携帯または有線電話、ＲＦ通信システムなどの多数の異なるタイプの装置と動作可能であるマイクロホンおよび／またはスピーカを有する無線ヘッドセットおよび送受話器を含む。他の例において、１つ以上の有線または無線ネットワークへの接続を含む基地局に対して無線ネットワーク上で通信する携帯電話、カメラ、ビデオゲーム・コントローラ、スマートフォン、タブレット・コンピュータ、および他の装置として動作するワイヤレス通信装置が提供される。少なくともいくつかの例において、ワイヤレス・デバイスは、ワイヤレス・デバイスのための入力データを含むか含まない高周波信号から電力が供給される。さらに、少なくともいくつかの例において、ワイヤレス通信装置は、基地局あるいは他のワイヤレス・デバイスと通信するために後方散乱通信技術を利用する。
【００３８】
図１は、本発明の一実施形態に従う通信システム１００を示す図である。通信システム１００は基地局１０２、並びに複数のワイヤレス通信装置１０４ａ、１０４ｂ、１０４ｃ、および１０４ｄを含む。基地局１０２は、ワイヤレス通信装置によって受信される高周波信号１０６を送信する。
【００３９】
一実施形態によれば、基地局１０２は電源に接続される。電源は電気のコンセントである。基地局１０２は、例えば、ローカルエリア・ネットワーク（ＬＡＮ）、無線ローカルエリア・ネットワーク（ＷＬＡＮ）、ワイドエリア・ネットワーク（ＷＡＮ）、セルラ・ネットワーク、あるいは公衆スイッチ電話ネットワーク（ＰＳＴＮ）を含む、１つ以上の有線または無線ネットワークに接続される１つ以上のネットワーク・インターフェイスをさらに含む。
【００４０】
様々な実施形態によれば、ワイヤレス通信装置１０４ａ乃至１０４ｄは、１つ以上の携帯電話、ｉＰｈｏｎｅ（登録商標）、ヘッドホン、ヘッドセット（マイクロホンおよびイヤホンを含む）、音楽プレーヤ、ｉＰｏｄ（登録商標）、携帯情報端末（ＰＤＡ）、ｉＰａｄ（登録商標）、ラップトップ、コンピュータや、カメラを含む。
【００４１】
一実施形態によれば、ワイヤレス通信装置１０４ａ乃至１０４ｄは、ワイヤレス・デバイス１０４ａ乃至１０４ｄの内部要素に電力を供給するために受信した高周波信号をＤＣ電圧に変換する。一例において、ワイヤレス通信装置１０４ａ乃至１０４ｄはバッテリを含まず、高周波信号が唯一の電源である。
【００４２】
別例によれば、基地局１０２は、高周波送受信機を含むとともに後方散乱変調技術を使用してワイヤレス通信装置１０４ａ乃至１０４ｄと通信する。送受信機は、振幅変調または位相変調を使用して、ワイヤレス通信装置１０４ａ乃至１０４ｄに送信する。いくつかの実施形態では、振幅変調は、ＤＳＢ−ＡＳＫ（両側波帯（ｄｏｕｂｌｅ  ｓｉｄｅｂａｎｄ）振幅シフト・キーイング）、ＰＲＡＳＫ（位相逆転（ｐｈａｓｅ  ｒｅｖｅｒｓａｌ）振幅シフト・キーイング）や、ＳＳＢ−ＡＳＫ（単側波帯（ｓｉｎｇｌｅ  ｓｉｄｅｂａｎｄ）振幅シフト・キーイング）である。ワイヤレス通信装置１０４ａ乃至１０４ｄは、後方散乱変調により通信を返す。異なる実施形態では、基地局１０２は、第２世代ＧＳ１を含む１つ以上のＲＦＩＤ通信基準に従って動作する。
【００４３】
図２は、一実施形態に従うワイヤレス通信装置の動作方法１５０を示すフローチャート図である。ブロック１５２では、図１のワイヤレス通信装置１０４ａ乃至１０４ｄのようなワイヤレス通信装置は、基地局の近傍に配置される。ブロック１５４では、ワイヤレス通信装置は基地局から高周波信号を受信する。ブロック１５６では、ワイヤレス通信装置は、ワイヤレス通信装置の要素に電力を供給するために高周波信号をＤＣ電圧に変換する。ブロック１５８では、ワイヤレス通信装置は基地局からの高周波信号からデータを受信する。
【００４４】
ブロック１５２では、ワイヤレス通信装置は、基地局によって放射される高周波信号の強度がワイヤレス通信装置に電力を供給するのに十分基地局に近接しており、また、所定の通信装置の機能に応じて、ワイヤレス通信装置は基地局とのデータの送受信を開始する。一例によれば、ワイヤレス通信装置が基地局から約２フィート乃至約６０フィート（約０．６メートル乃至約１８．３メートル）の範囲にある。他の例において、ワイヤレス通信装置と基地局との間の距離は、約１インチ乃至５フィート（約２．５４センチメートル乃至約１．５２メートル）、約１フィート乃至約１０フィート（約３０センチメートル乃至約９．１４メートル）、約２フィート乃至約１０フィート（約６０．９６センチメートル乃至約９．１４メートル）、約２フィート乃至約２０フィート（約６０．９６センチメートル乃至約６．０９６メートル）、約５フィート乃至約２０フィート（約１．５２メートル乃至約６．０９６メートル）、および約５フィート乃至約３０フィート（約１．５２メートル乃至約９．１４メートル）である。別例において、使用されるＲＦ通信技術に応じて、他の距離が可能である。
【００４５】
上述したように、ブロック１５４では、ワイヤレス通信装置は基地局から高周波信号を受信する。一例において、基地局は連続的に高周波信号を放射し、ワイヤレス通信装置が基地局の十分に近傍のエリアに入ると、ワイヤレス通信装置は高周波信号の受信を開始する。
【００４６】
ブロック１５６で、ワイヤレス通信装置は高周波信号を少なくとも１つのＤＣ電圧に変換する。一実施形態において、ワイヤレス通信装置は、パワー・アップのための十分なエネルギーを受け取った後、ブロック１５８で、高周波信号からデータの受信をさらに開始する。データを含む高周波信号は、電力を提供する高周波信号とは異なるソースを有するか、あるいは、同じ基地局から送信される。一特徴によれば、ワイヤレス通信装置は複数の基地局を含むエリアで動作し、複数の基地局からの高周波信号はワイヤレス通信装置に電力を供給する。ワイヤレス通信装置は後方散乱変調を使用して、データを送信する基地局に応答する。一実施形態において、ワイヤレス通信装置に電力を供給する高周波信号を放射する基地局は、データを送信する基地局でもあり、一方向に所定の時間に生じるデータ通信と同時に動作する送信機および受信機を含む。
【００４７】
一実施形態によれば、高周波信号は、約８４０ＭＨｚ乃至約９６０ＭＨｚの周波数で送信される。別例において、高周波信号は、約２．４０３ＧＨｚ乃至約２．４８３ＧＨｚ（Ｗｉ−Ｆｉに使用される）のＩＳＭバンド周波数で送信される。さらなる実施形態において、高周波信号は、約４９１５ＭＨｚ乃至約５８２５ＭＨｚ（Ｗｉ−Ｆｉに使用される）の５ＧＨｚのＵ−ＮＩＩバンド周波数で送信される。別例によれば、高周波信号は、ＵＭＴＳ／ＬＴＥバンド周波数で送信され、これは、約８００ＭＨｚ、８５０ＭＨｚ、約９００ＭＨｚ、約１５００ＭＨｚ、約１７００ＭＨｚ、約１８００ＭＨｚ、約１９００年ＭＨｚ、あるいは約２１００ＭＨｚである。所定の実施形態において、高周波信号は、６０ＧＨｚ（ＷｉＧｉｇに使用される）で送信される。
【００４８】
図３は、本発明の一実施形態によるワイヤレス通信装置のいくつかの要素を示すブロック図２００である。要素はアナログＲＦインターフェース２０２、デジタル制御ブロック２０４、およびセンサ・ブロック２０６を含む。
【００４９】
アナログＲＦインターフェース２０２は、アンテナ・パッド２１０ａおよび２１０ｂ、電圧調整器２１２、整流器２１４、復調器２１６、並びに変調器２１８を含む。バッテリのようなＤＣ電源の付加的なソースがワイヤレス・デバイスに含まれる場合、アナログＲＦインターフェース２０２は電圧入力２２０ａをさらに含む。
【００５０】
デジタル制御ブロック２０４は、アナログＲＦインターフェース２０２からの電圧入力２２２を含み、また、デジタル制御ブロック２０４は、バッテリのようなＤＣ電源の付加的なソースがワイヤレス・デバイスに含まれる場合、電圧入力２２０ｂをさらに含む。様々な実施形態において、デジタル制御ブロック２０４は衝突防止技術、読み取り／書き込み制御、アクセス制御、センサ・インタフェース制御、およびＲＦインターフェース制御を含む。一例において、デジタル制御ブロック２０４は、有限状態機械を含む。別例において、デジタル制御ブロック２０４はプロセッサを含む。別例において、デジタル制御ブロックは、ここに開示される機能を実行するように構成またはプログラムされる複数の論理回路およびプロセッサを含む。一特徴によれば、デジタル制御ブロック２０４は、基地局から受信されるデジタル・データ・パケットをアナログ信号に変換する。別の特徴によれば、デジタル制御ブロック２０４は、アナログ信号を基地局への送信用のデジタル・データ・パケットに変換する。
【００５１】
センサ・ブロック２０６は音声出力セクション２３０および音声入力セクション２５０を含む。別例において、センサ・ブロック２０６は音声出力セクション２３０および音声入力セクション２５０の両者を含まない。別例において、センサ・ブロック２０６は、カメラ部２４０、ビデオゲーム制御部、およびテキスト作成インターフェースの１つ以上を含む。センサ・ブロック２０６は、バッテリのようなＤＣ電源の付加的なソースがワイヤレス・デバイスに含まれる場合、電圧入力２２０ｃをさらに含む。
【００５２】
音声出力セクション２３０は、デジタル・アナログ変換器２３２、電圧および電流変換モジュール２３４、並びに音声出力装置２３６を含む。音声出力セクションは、図４に関してより詳細に開示される。別例において、音声出力セクション２３０の要素は他の機能ブロックに配置される。
【００５３】
音声入力セクション２５０は、オーディオ入力装置２６０、電圧および電流変換モジュール２５４、並びにアナログ・デジタル変換器（ＡＤＣ）２５２を含む。一実施形態によれば、サンプルアンドホールド回路２５４はＡＤＣ２５２と一体的に形成される。別例によれば、音声入力セクション２５０はサンプルアンドホールド回路２５４を含まない。音声入力セクション２５０は、図６に関してより詳細に開示される。別例において、音声出力セクション２３０の要素は他の機能ブロックに配置される。
【００５４】
一態様によれば、センサ・ブロック２０６はデジタル制御ブロック２０４からデジタル・データを受信する。例えば、センサ・ブロック２０６はデジタル制御ブロック２０４からデジタル音声出力データを受信する。一実施形態によれば、センサ・ブロック２０６はデジタル制御ブロック２０４にデジタル・データを送信する。例えば、センサ・ブロック２０６はデジタル制御ブロック２０４にデジタル化された音声入力データを送信する。別の例において、センサ・ブロック２０６は、デジタル制御ブロック２０４にデジタル写真のようなデジタル化された光学データを送信する。
【００５５】
一実施形態によれば、センサ・ブロック２０６は、圧縮したフォーマットのデジタル音声出力データを受信し、ローカル・ステート・マシンまたはプロセッサを使用して、これをデコードする。デジタル制御ブロック２０４はデジタル化された音声入力を受信し、ステート・マシンまたはプロセッサを使用してデータを圧縮またはエンコードする。ＲＦプロトコルは圧縮データまたは非圧縮データの通行を許可する所定のコマンドまたはステート・マシン・オペレーションを有する。符号化／デコードアルゴリズムの様々な例は、ＬＰＣ（線形予測法）、ＣＥＬＰ（コード刺激線形予測法（Ｃｏｄｅ  Ｅｘｃｉｔｅｄ  Ｌｉｎｅａｒ  Ｐｒｅｄｉｃｔｉｏｎ））、ＳＡＤＶＱ（連続適応  差分ベクトル量子化  （Ｓｅｒｉａｌ  Ａｄａｐｔｉｖｅ  Ｄｉｆｆｅｒｅｎｔｉａｌ  Ｖｅｃｔｏｒ  Ｑｕａｎｔｉｚａｔｉｏｎ））、ＡＣＥＬＰ（代数符号励起線形予測（Ａｌｇｅｂｒａｉｃ  Ｃｏｄｅ  Ｅｘｃｉｔｅｄ  Ｌｉｎｅａｒ  Ｐｒｅｄｉｃｔｉｏｎ））、および圧縮センシング技術を含む。他のアルゴリズムが使用されてもよい。
【００５６】
一特徴によれば、デジタル制御ブロック２０４の要素に電力を供給するために、アナログＲＦインターフェース２０２は、デジタル制御ブロック２０４にＤＣ電圧２２２を供給する。いくつかの実施形態によれば、アナログＲＦインターフェース２０２は、基地局から受信されるデータをデジタル制御ブロック２０４に送信する。
【００５７】
別の特徴によれば、デジタル制御ブロック２０４はセンサ・ブロック２０６からアナログＲＦインターフェース２０２にデータを送信する。様々な例において、データは、マイクロホン２６０からの音声入力データ、カメラ２４４からの光学データ、およびキーボードやキーパッドからのテキスト入力を示す。
【００５８】
一態様によれば、アナログＲＦインターフェース２０２、デジタル制御ブロック２０４、およびセンサ・ブロック２０６は、最小量の電力を使用するように構成される。例えば、一実施形態におけるデジタル制御ブロック２０４は、最小の電力を得る有限状態機械を含む。同様に、センサ・ブロック２０６の要素は、電力消費を最小化するように構成される。通常のアナログＲＦインターフェース２０２およびデジタル制御ブロック２０４は、電力の約１０μＷ以下を使用する。
【００５９】
図４は、一実施形態における音声出力セクション２３０のを示す回路図である。音声出力セクション２３０は、デジタル・アナログ変換器（ＤＡＣ）２７２、インピーダンス整合器２７８、変圧器２７４、およびイヤホン２７６を含む。ＤＡＣ２７２は、ＤＡＣ２３２の出力がインピーダンス整合器２７８に入力されるように、インピーダンス整合器２７８に接続される。インピーダンス整合器２７８は、インピーダンス整合器２７８の出力が変圧器２７４に入力されるように、変圧器２７４に接続される。ＤＡＣ２７２、インピーダンス整合器２７８、および変圧器２７４は、相補性金属酸化膜半導体（ＣＭＯＳ）あるいはサブしきい値ＣＭＯＳに必要な高電圧を、磁気駆動イヤホンの低電圧要件に変換することにより、イヤホン２７６に音声出力信号を送信する際に最小の電力を消費するように構成される。
【００６０】
一実施形態において、ＤＡＣ２７２は、パルス幅変調器、ローパスまたは帯域通過低損失フィルタ、電圧入力２８０、およびデジタル制御２８２を含む。一特徴によれば、パルス幅変調器を含むＤＡＣ２７２は、ナイキスト周波数の少なくとも約２倍に等しいクロック周波数を有する。クロック周波数がナイキスト周波数の約２倍よりも大きい場合、パルスを記述するオーバーサンプリング要因がある。一例において、８ビットの時間分解能を備える８ｋＨｚの音声信号は、第２ＭＳＰＳ（Ｆｓ＊２＾Ｎ）当たり２．０４８メガサンプルのサンプリングレートを有する。ＬＣタンク回路やより高次のフィルタは、約８ｋＨｚに調整される。フィルタはローパスまたはバンドパスフィルタである。
【００６１】
別例において、ＤＡＣ２７２は、デルタ・シグマ変調器およびローパスまたは帯域通過低損失フィルタを含む。一特徴によれば、ＤＡＣ２７２はデルタ・シグマ変調器を含み、また、オーバーサンプリング比はビットでダイナミック・レンジの平方根である。一例において、第２の（ｋＳＰＳ）シグマ・デルタＤＡＣについて８ビットのキロサンプルは、６４ｋＳＰＳ１ビット・サンプルおよび約８ｋＨｚに調整される１次、２次、あるいは３次のローパス・フィルタを使用する。いくつかの実施形態において、デルタ・シグマ変調器は、１次、２次、あるいは３次である。一実施形態において、低損失ローパス・フィルタは、単極のインダクタ・コンデンサ対で実施される。別例において、インダクタは変圧器の１本の脚部である。
【００６２】
他の例において、ＤＡＣ２７２は別の低電力デジタル・アナログ変換器である。一例において、ＤＡＣ２７２は、約０．７Ｖの最大の動作電圧で約５．７ｎＡ乃至約１８０ｎＡの極大電流を有する。ヘッドホン２７６のようなイヤホンまたはヘッドホンに電力を供給する音声電力は、式１を使用して定義される。
【００６３】
【数１】
2016519865.tif 000003
Ｐオーディオがオーディオ電力である場合、ＳＰＬ会話は会話の音圧レベルであり、ＳＰＬヘッドホンは、１ｍＷの電力から生成されるＳＰＬである。一例において、ＳＰＬヘッドホンは、１２４ｄＢのＳＰＬ／ｍＷであり、これにより、ヘッドホンは、９４ｄＢのＳＰＬを生成するために１ｍＷを使用する。ヘッドホンの電圧は、式（２）を使用して決定される。
【００６４】
【数２】
2016519865.tif 000004
Ｖヘッドホンは、ヘッドホンの最大電圧であり、Ｒヘッドホンは、ヘッドホンの抵抗である。変圧器２３４のための巻数比は、一実施形態において、式（３）を使用して決定される。
【００６５】
【数３】
2016519865.tif 000005
Ｎ巻数は、インダクタの二次コイルの巻数に対するインダクタの一次コイルの巻数の比であり、Ｄ２ＡＶｍａｘは、ＤＡＣ２７２の最大電圧である。ＤＡＣ２７２の電流は、一実施形態において、式（４）を使用して決定される。
【００６６】
【数４】
2016519865.tif 000006
Ｄ２ＡＩｍａｘは、ＤＡＣ２７２の電流である。これらの式は、変圧器が１００％効率的であると仮定するものといえる。別例において、Ｄ２ＡＶｍａｘおよびＤ２ＡＩｍａｘは、これらの式から計算されるものよりも高い。
【００６７】
別の例によれば、ＤＡＣ２７２は、パルス幅変調を使用するバック変換器または降圧ＤＣ／ＤＣ変換器を含む。この例において、エネルギーはインダクタに格納され、これにより、ソースの電子機器からのエネルギーの大部分は、音声生成イヤホン２３６に移動され、システムの効率が高められる。
【００６８】
一実施によれば、ＤＡＣ２７２は、選択されたレベルに充電され、続いて比較器に放電される付加的なコンデンサを含む。比較器は、電圧パルスのタイミングを決定するとともにより高いパルス幅変調スイッチング周波数を許可する。一例において、ＤＡＣ２７２は、８ｋＨｚのスイッチング周波数および３２のオーバーサンプリング比を有するシグマ・デルタ変調を使用する。別の例において、ＤＡＣは、１ビットでスイッチング周波数が２５６ｋＨｚのシグマ・デルタ変調を使用する。
【００６９】
変圧器２７４はインピーダンス変圧器である。インピーダンス変圧器２７４は、ＤＡＣ２７２から受信されるアナログ信号を、低電圧かつより高い電流信号に変換する。様々な例において、変圧器２７４は、約４１０：１、約８４０：１、あるいは約４１０：１乃至約８４０：１の巻数比を有する。変圧器２７４の所定の設計は、イヤホンの特性に基づいて選択され、イヤホンの入力インピーダンスと整合する出力インピーダンスを提供する。
【００７０】
一実施形態における変圧器２７４は、フェライト磁気コアを備える既製の小型化した変圧器である。一特徴によれば、フェライト磁気コアを備える小型化した変圧器は高度に効率的である。別例において、変圧器２７４は、ＤＡＣ側に多数の巻数を提供する基板およびエッチングされた多層コイル上で平坦な磁性材料により半導体組立技術を使用して形成される。ＤＡＣ側の巻数は、例えば、約４００、約５００、約６００、約７００、約８００、約８５０、あるいは約９００である。反対側上の多層コイルは、電気／音圧装置（イヤホン）上により少数の巻数（例えば１あるいは２以上）を提供する。
【００７１】
一実施形態における半導体変圧器２７４において、変圧器２７４の各々にＣＭＯＳスイッチを供給する複数のアームが存在する。ＣＭＯＳスイッチは、ＤＡＣ側の選択された巻数に切り換えることに使用される。一特徴によれば、ＣＭＯＳスイッチは、イヤホンの固定インピーダンスに対する効率を最大限にすることに使用される。一実施形態において、巻数比はパワー・アップで決定され、スイッチ構成は不揮発性メモリに格納される。別例において、スイッチ構造体は予め構成される。
【００７２】
いくつかの実施形態によれば、イヤホン２７６は、イヤホン、あるいはヘッドホン、スピーカや別の音声出力装置を含む他の電気／音声変換器を含む。イヤホンのための所要電力は、１メートルの人間の会話レベルの約５ｎＷ乃至約３００ｎＷで通常変化する。例えば、アルティメット・イヤーズ７プロ（登録商標）のイヤホンは、約８ｎＷの電力を使用し、Ｋｌｉｐｓｃｈ  Ｘ５（登録商標）のイヤホンは、約３２ｎＷの電力を使用し、アップルのインイヤー・イヤホンは、約２６０ｎＷの電力を使用する。これらの計算は十分な音圧レベルを生成するための所要電力に基づく。圧力はインピーダンスおよび速度に関係がある。
【００７３】
【数５】
2016519865.tif 000007
ｐは２０℃における標準気圧からの圧力変化であり、Ｚは標準温度および圧力における空気の特性インピーダンスであり、ｖは、空気媒体における粒子の根二乗平均速度であり、速度ｖは、圧力ｐおよびＷ／ｍ２における音の強度Ｊと関係を有する。
【００７４】
【数６】
2016519865.tif 000008
従って、
【００７５】
【数７】
2016519865.tif 000009
約１メートルの距離の通常の会話は、約４０ｄＢ乃至約６０ｄＢの音圧レベルＳＰＬを有する。音が０．７×０．７ｃｍ２の開口を備える外耳道を通して移動する必要がある場合、イヤホンは、７０ｄＢの音圧レベルを生成するために約４８０ｐＷを使用するであろう（１メートルの距離の少なくとも１０回の通常の会話の音圧レベル）。一例において、アルティメット・イヤーズ７プロ（ＵＥ７プロ（登録商標））のヘッドホンは、１ｋＨｚで入力電力の１ｍＷ当たり１２４ｄＢＳＰＬの感度および１７．５Ωのインピーダンスを有する。従って、これらのヘッドホンは、１本のチャンネル当たり作動するための４．０ｎＷの電力を使用し、２６０μＶｒｍｓの電圧を生成する。さらに、式（１）乃至（４）により、アルティメット・イヤーズ７プロ（登録商標）のヘッドホンにおいて、変圧器の一次巻線は２６５２の巻きを有し、０．７ＶのＤＡＣ２７２は、５．６８ｎＡの極大電流を有する。別の例において、アップルのモデルＭＡ８５０Ｇ／Ｂのようなインイヤー・ヘッドホンは、１ｋＨｚで１０９ｄＢＳＰＬ／ｍＷの感度および２３Ωのインピーダンスを有する。従って、これらのヘッドホンは、１本のチャンネル当たり１３０ｎＷを使用し、１．７０ｍＶの電圧を生成する。さらに、式（１）乃至（４）により、アップルのインイヤー・ヘッドホンにおいて、変圧器の一次巻線は４１１の巻きを有し、０．７ＶのＤＡＣ２７２は、１８０ｎＡの極大電流を有する。
【００７６】
図５は、本発明の実施形態に従う音声出力装置に電力を供給する方法を示すフローチャート図である。一例において、音声出力装置は図４のイヤホン２７６である。ブロック３０２では、ワイヤレス通信装置のアナログＲＦインターフェースは基地局から高周波信号を受信する。アナログＲＦインターフェースは図３のインターフェース２０２である。アナログＲＦインターフェースは、入力データ信号を生成するために高周波信号を復調し、デジタル制御ブロック２０４に入力データ信号を送信する。ブロック３０４では、デジタル制御ブロックは、例えば圧縮した表現からデータをデコードすることにより、任意に信号を処理する。ブロック３０６では、デジタル・アナログ変換器はデジタル信号をアナログ信号に変換する。デジタル・アナログ変換器は図４に関して上述したＤＡＣ２７２である。一実施形態によれば、アナログ信号は、約０ボルトからＣＭＯＳロジック・レベルまたはサブしきい値ロジック・レベルまで変化する動的な電圧範囲を有する。様々な実施形態において、電圧は約０．７Ｖ、約１．８Ｖ、あるいは約０．７Ｖ乃至約１．８Ｖである。ブロック３０８では、変圧器はアナログ信号をより高い電流を有する低電圧アナログ信号に変換する。一特徴によれば、変圧器は、最小の電力損失で信号を変換する。電力損失は、通常公知のより大型の変圧器に対して１０乃至２０パーセントであり、これらを８０乃至９０パーセントの能率とする。様々な例によれば、変圧器は約９９パーセントの能率、約９５パーセントの能率、約９０パーセントの能率、約８０パーセントの能率、あるいは約９０乃至約９９パーセントの能率である。変圧器は図４に関して上述した変圧器２７４である。ブロック３１０では、低電圧アナログ信号は音声出力装置に出力される。ブロック３１２では、出力電気信号は音圧に変換される。
【００７７】
一実施形態においては、受信信号は、ワイヤレス通信装置に電力を供給するとともにデータを含む。別例においては、受信信号は、特にチャンネル上で音声データを送信するように構成されるパケットである。別例においては、受信信号は、ワイヤレス通信装置に電力を供給し、異なる信号がデータを提供する。
【００７８】
図６は、本発明の実施形態による、マイクロホン２９０、バッファ２９８、変圧器２９６、サンプルアンドホールド回路２９４、およびアナログ・デジタル変換器（ＡＤＣ）２９２を含む音声入力セクション２５０を示す回路図である。一実施形態によれば、音声入力セクション２５０は、例えばバッファ２９８および変圧器２９６に接続される可変利得増幅器をさらに含む。一実施形態によれば、サンプルアンドホールド回路２９４はＡＤＣ２９２の一部である。また、別例においては、音声入力セクション２５０はサンプルアンドホールド回路２９４を含まない。別例においては、バッファ２９８は低雑音増幅器である。一例において、変圧器２９６はインピーダンス変圧器であり、電流を低減させることによって電圧を増幅する。別例においては、音声入力セクション２５０はバッファ２９８を含まず、バッファ２９８の機能は変圧器２９６において実行される。一例において、変圧器は、図８Ａに示す変圧器３７０、あるいは図８Ｂおよび８Ｃに示す変圧器３９０のような半導体変圧器である。一実施形態においては、変圧器は音声出力セクション２３０で使用される変圧器２７４である。一例において、図８Ａに示す変圧器３７０のような単一の変圧器は、音声出力装置２３０および音声入力装置２５０の両者に使用され、１つ以上のスイッチは、各装置に適切なように変圧器の巻数比を繰り返し調整することに使用される。
【００７９】
アナログ・デジタル変換器２９２は出力信号２６２を有する。マイクロホン２９０、バッファ２９８、可変利得増幅器２９６、サンプルアンドホールド回路２９４、およびアナログ・デジタル変換器２９２は、ワイヤレス通信装置の要素であり、マイクロホン２９０からワイヤレス通信装置のデジタル制御ブロックに音声入力信号を送信する際に最小の電力を消費するように構成される。
【００８０】
マイクロホン２９０は、音圧差を電気的エネルギーに変換する音声変換器を含む。一例において、マイクロホン２９０はエレクトレット・マイクロフォンであり、また、マイクロホン２９０は、エレクトレットＭＥＭＳマイクロホンである。別例において、マイクロホン２９０はダイナミック・マイクロホンである。一特徴によれば、マイクロホン２９０は０ボルトのバイアスで動作する。マイクロホンの電力消費は約１０ｐＷ乃至約２００ｐＷであり、式８乃至１１を使用して計算される。特に、圧力場における電力は、式８を使用して定義される。
【００８１】
【数８】
2016519865.tif 000010
ｐは圧力であり、Ｚは空気の音響インピーダンスであり、Ａはマイクロホンの開口の領域である。空気の音響インピーダンスＺは式９を使用して定義される。
【００８２】
【数９】
2016519865.tif 000011
ｐは、媒体（ここでは空気）の濃度であり、ｃは音速である。一例によれば、２０℃の温度の空気において、空気の濃度は１．１８４ｋｇ／ｍ３であり、音速は３４６．１ｍ／ｓであり、インピーダンスＺは約４０９．８Ｐａ・ｓ／ｍである。６０ｄＢのＳＰＬが１ｍの距離（ｒ１）で２．０×１０−３パスカルであるものといえる。一例において、マイクロホンと口（ｒ２）との間の距離はわずか約１／３メートルであり、従って、送信される信号のＳＰＬはより大きい。特に、圧力は比率ｒ１／ｒ２によって増加される。電力は、式１０を使用して、静電容量センサ用に定義される。
【００８３】
【数１０】
2016519865.tif 000012
Ｃはキャパシタンスであり、Ｖは電圧であり、ｆは周波数である。式１０は、開口に入る音声電力がすべて式１１に示すような電気的エネルギーに変換されると仮定して、圧力対電圧比を計算することに使用される。
【００８４】
【数１１】
2016519865.tif 000013
一例によれば、マイクロホンは、１９９６年のヒルトン・ヘッド社のＴ．Ｙ．Ｈｓｕ、Ｗ．Ｈ．Ｈｓｉｅｈ、Ｙ．−Ｃ．タイ、およびＫ．Ｆｕｒｕｔａｎｉによるソリッド・ステート・センサ、アクチュエータ、およびマイクロシステムズ・ワークショップの２３５頁乃至２３８頁の「マイクロホン・アプリケーション用の薄膜テフロン・エレクトレット技術」（テフロン：登録商標）に開示されるように、カリフォルニア工科大ＭＥＭＳマイクロホンである（ｈｔｔｐ：／／ｗｗｗ．ａｕｄｉｏｃｉｒｃｕｉｔ．ｃｏｍ／Ａ−ＰＤＦ／ＡＡ−Ｍａｔｅｒｉａｌｓ−ＭＡＴ／Ｍｅｍｂｒａｎｅｓ−ＭＥ／９４１−ＤＵＰ−−Ｔｅｆｉｏｎ−ｅｌｅｃｔ−Ａ−Ａ０１．ｐｄｆ）。マイクロホンの開口の領域Ａは１２×１０−６ｍ２（１辺当たり３．５ｍｍ）である。式８乃至１１を使用する際、入力周波数／が２５０Ｈｚである場合、マイクロホンは約１３ｐＷの電力を使用すると推測される。
【００８５】
別の例において、マイクロホンはＢｒｕｅｌ  ａｎｄ  Ｋｊａｅｒ社の４９５３エレクトレット・マイクロフォンである。マイクロホンの開口の領域Ａは１２７×１０−６ｍ２（１／２インチ（約１．２７センチメートル）径）である。式８乃至１１を使用する際、入力周波数ｆが２５０Ｈｚである場合、マイクロホンは約１４０ｐＷの電力を使用すると推測される。
【００８６】
一実施形態によれば、マイクロホンによって生成されるピーク電圧は、約９００μＶ乃至約１．０ｍＶである。
マイクロホン２９０からの信号は低雑音増幅器２９８に送信される。低雑音増幅器２９８は信号を増幅して変圧器２９６に送信する。一実施形態によれば、バッファ２９８は、相補性金属酸化膜半導体（ＣＭＯＳ）電圧レベルを操作する低雑音トランスインピーダンス増幅器である。ＣＭＯＳ電圧レベルは、約０．７Ｖ、約１．８Ｖ、あるいは約０．７Ｖ乃至約１．８Ｖである。
【００８７】
一実施形態においては、可変利得増幅器は、信号の振幅を増幅するとともにアナログ・デジタル変換器２９２にこれを出力することに使用される。一実施形態においては、アナログ・デジタル変換器は、一体的なＡＤＣ２９２が後続するサンプルアンドホールド回路２９４である。別例においては、アナログ・デジタル変換器２９２は、シグマ・デルタ・アナログ・デジタル変換器のようなパルス密度変換器である。別例においては、アナログ・デジタル変換器２９２はデルタ符号化されるＡＤＣである。別例においては、アナログ・デジタル変換器２９２は連続近似ＡＤＣである。サンプルアンドホールド回路２９４は、信号の電圧をサンプリングし、所定の期間一定のレベルにこれを保持する。期間は約１００μ秒乃至約１００μ秒であり、約１００μ秒、約２５０μ秒、約５００μ秒、約７５０μ秒、約１μ秒、約１０μ秒、約２５μ秒、約５０μ秒、約７５μ秒、あるいは約１００μ秒である。サンプルアンドホールド回路２９４は信号をＡＤＣ２９２に出力する。
【００８８】
一例によれば、バッファ２９８、変圧器２９６、およびアナログ・デジタル変換器２９２は、１ｆＪ／工程メートルに基づき約２４７ナノワットの電力を使用する。他の例によれば、バッファ２９８および可変利得増幅器は、３３７ｎＷの電力あるいは約５８４ｎＷの電力を使用する。他の例において、バッファ２９８および可変利得増幅器の電力消費は、約２００ｎＷ、２５０ｎＷ、約３００ｎＷ、約３５０ｎＷ、約４００ｎＷ、約４５０ｎＷ、約５００ｎＷ、約５５０ｎＷ、約６００ｎＷ、７５０ｎＷ、あるいは約１０００ｎＷである。
【００８９】
一実施形態によれば、ＡＤＣ２９２への入力信号は、約９０μＶ乃至約１．０ｍＶの電圧を有し、ＡＤＣ２９２のフロントエンドの利得は約４０ｄＢ以上である。一実施形態においては、ＡＤＣ２９２はスイッチ・コンデンサ直接変換二分探索アレイを使用する。一特徴によれば、これにより、ＡＤＣ２９２によって電力消費量が最小化される。一例において、ＡＤＣ２９２は連続近似ＡＤＣであり、これは、８ｋＳ／ｓまでの音声を捕捉するために約３．６μＷの電力を使用する４５０ｎＷ、１２ビット、１ｋＳ／ｓのＳＡＲ  ＡＤＣである。別の例において、ＡＤＣ２９２は、約４６．９２ｄＢの信号対雑音のダイナミック・レンジで７．５ビットのＥＮＯＢ（有効ビット数）の７．７５μＷの構成である。この構成は、０．１８のμｍのＣＭＯＳ（相補性金属酸化膜半導体）において実行され、ＣＭＯＳは、約５００ｋＳ／ｓで実行され、８６ｆジュール／変換工程の性能指数（ＦＯＭ）を有する。
【００９０】
図７は、本発明の実施形態に従う音声入力を受信する方法３５０を示すフローチャート図である。ブロック３５２では、音声入力は、例えばマイクロホンによって受信される。音声入力は音圧差である。ブロック３５４では、音圧差は電気的エネルギーに変換される。任意により、ブロック３５６では、信号は電圧および電流を生成するためにバッファされる。任意により、ブロック３５８では、入ってくる信号はより高い電圧およびより低い電流で信号に変換される。一実施形態においては、信号の振幅は、例えば可変利得増幅器によってさらに増幅される。一実施形態によれば、インピーダンス変換回路は電流および電圧（ブロック３５６における）を変換するとともに電圧信号の振幅を増幅する。ブロック３６０では、信号の電圧は、所定の期間、任意によりサンプリングされるとともに保持される。ブロック３６２では、アナログ信号はデジタル信号に変換される。一実施形態によれば、ブロック３６２におけるアナログ信号からデジタル信号への変換は、信号の電圧をサンプリングし所定の期間これを保持することを含む。デジタル信号はワイヤレス通信装置のデジタル制御ブロックに出力される。任意により、ブロック３６４では、出力信号はプロセッサによって処理される。ブロック３６６では、出力信号は例えば基地局あるいは別のＲＦ受信機である後方散乱送受信機に送信される。
【００９１】
図８Ａは、本発明の実施形態に従う、一次巻線３７２、二次巻線３７４、スイッチ・モジュール３７６、およびコア３７８を含む変圧器３７０を示す回路図である。一特徴によれば、変圧器３７０は微細化される（ｍｉｃｒｏｆａｂｒｉｃａｔｅｄ）変圧器であり、組立てのための基板は、微細加工に好適なシリコンあるいは別の選択される材料である。一次巻線３７２および二次巻線３７４は、コア３７８の周囲に巻かれる。一次巻線３７２は主電流３８４を有する。主電流３８４は、スイッチ・モジュール３７６を通して、および一次巻線３７２を通して移動する。二次巻線３７４は二次電流３８６を有する。
【００９２】
一特徴によれば、一次巻線３７２を通る電流３８４は磁界を形成し、変化する磁界は、一次巻線３７２の両端を横断して電圧３８０を生じさせる。二次巻線３７４を通る電流３８６は、二次巻線３７４の両端を横断して電圧３８８を生じさせる。一特徴によれば、一次巻線３７２を横断する電圧３８０は、二次巻線３８６を横断する電圧３８８よりも大きい。
【００９３】
スイッチ・モジュール３７６は一次巻線３７２に接続され、１つ以上のスイッチ３８２ａ乃至３８２ｉを含む。スイッチ・モジュール３７６は一次巻線３７２における巻数を調整することに使用される。一例において、スイッチ・モジュール３７６の最左端のスイッチ３８２ａが閉じている場合、一次巻線３７２は８４０の巻きを有する。別の例において、最右端のスイッチ３８２ｉのみが閉じている場合、一次巻線３７２は４１０の巻きを有する。通常の実施形態においては、一度にスイッチ３８２ａ乃至３８２ｉのうちの１つのみが閉じている。一実施形態によれば、スイッチ３７６はＳＰ９Ｔスイッチである。
【００９４】
一特徴によれば、コア３７８は磁性材料から形成される。例えば、コア３７８はシリコン表面上の強磁性合金である。別の例において、コア３７８は、２００２年のＩＥＥＥの処理の第２８（４）巻の第１９６９乃至７３頁の磁石のミーノ等による「マイクロスイッチング変換器において使用される新規な平面のマイクロトランスフォーマ」に開示されるようなＣｏＺｒＲｅ合金である。
【００９５】
図８Ｂは、本発明の実施形態に従う、一次巻線３９２、二次巻線３９４、およびコア３９８を含む変圧器３９０を示す側面斜視図である。一次巻線３９２および二次巻線３９４はコア３９８の周囲に巻かれる。図８Ｃは、本発明の実施形態に従う、一次巻線３９２の一部を示す変圧器３９０のコア３９８の分解図である。一例において、一次巻線３９２は８４０の巻きを有し、二次巻線３９４は１つの巻きを有する。別の例において、一次巻線３９２は４１０の巻きを有し、二次巻線３９４は１つの巻きを有する。一特徴によれば、コア３７８はシリコン上に構築され、強磁性合金で形成される。
【００９６】
図９は、上述したワイヤレス通信装置と組み合わせて使用される基地局４００を示す回路図である。基地局４００は、受信機、モデムおよびマイクロプロセッサ４０２、復調器４０４、電力検出部４０６、マイクロプロセッサ４０８、カプラ４１０、スイッチ４１２、アンテナ・ポート４１４ａ乃至４１４ｃ、並びにデジタル制御ブロック４１６を含む。図は、１台以上のワイヤレス通信装置から受信機４０２への後方散乱信号４２０のパスを示す。基地局４００がオンにされると、基地局４００はその範囲内のワイヤレス通信装置に電力を供給する。電力検出部４０６はマイクロプロセッサ４０８に接続され、基地局で受信機レベルへの高周波電力を監視する。別例においては、別の電力検出部は、送信される信号の高周波電力レベルを監視する。
【００９７】
カプラ４１０は、デジタル制御ブロックの制御下でスイッチ４１２を通してアンテナ・ポートに基地局４００の発信機および受信機を接続することに使用される。カプラは、信号からデータを取り除くために入力高周波信号を復調する復調器４０４を含む受信機に、後方散乱高周波信号を供給する。送信機は、デジタル・アナログ変換器およびローパス・フィルタ、並びにアンテナを介してワイヤレス通信装置に向けられるＡＭ変調高周波信号を形成する変調器（Ｉ＆Ｑミキサ）からのアナログ・ベースバンド信号を含む。
【００９８】
図１０は、本発明の実施形態に従う、高周波送受信機４５２および音声出力装置４５４を含むワイヤレス通信装置４５０を示すブロック図である。通信装置４５０は、音声入力装置４５６、カメラ４５８、プロセッサ４６４、メモリ４６６、バッテリ４６０、およびユーザ・インターフェース４６２をさらに含む。ユーザ・インターフェースはキーボードおよびディスプレイを含む。ワイヤレス通信装置はプロセッサ部をさらに含む。一特徴によれば、ワイヤレス通信装置４５０に対して高周波信号によって受動的に電力が供給される。例えば、高周波信号は高周波送受信機４５２に、かつ音声出力装置４５４、音声入力装置４５、６およびカメラ４５８のうちの１つ以上に受動的に電力を供給する。
【００９９】
一実施形態においては、ワイヤレス通信装置４５０は、携帯電話またはスマートフォンのようなデュアル・モード・ワイヤレス通信装置であり、バッテリ４６０を含む。第１のモードにおいて、ワイヤレス通信装置４５０は高周波信号を使用して受動的に動作し、バッテリ４６０からＤＣ電力を取り出さない。ワイヤレス通信装置４５０の機能は、第１のモードにおいて制限され、一実施形態における第１のモードにおいて、デュアル・モード・ワイヤレス通信装置は基地局と通信し、バッテリから電力を取り出すことなくメッセージ、例えば電子メールメッセージ、ウェブ・コンテンツ、テキスト・メッセージ、および電話の呼び出しを継続して受信可能である。第２のモードにおいて、ワイヤレス通信装置４５０はバッテリから電力を取り出し、その種類の通常のワイヤレス通信装置の機能をすべて実行可能である。
【０１００】
別例においては、第１のモードにおいて、ワイヤレス通信装置４５０は高周波信号を使用して動作し、バッテリ４６０から最小のＤＣ電力を取り出す。これはバッテリに支援される受動モードと考えられる。ワイヤレス通信装置４５０の機能は、第１のモードにおいて制限され、一実施形態における第１のモードにおいて、デュアル・モード・ワイヤレス通信装置は基地局と通信し、バッテリから電力を取り出すことなくメッセージ、例えば電子メールメッセージ、ウェブ・コンテンツ、テキスト・メッセージ、および電話の呼び出しを継続して受信可能である。第２のモードにおいて、ワイヤレス通信装置４５０はバッテリから電力を取り出し、その種類の通常のワイヤレス通信装置の機能をすべて実行可能である。
【０１０１】
一実施形態によれば、ワイヤレス通信装置は携帯電話であり、高周波信号は、携帯電話が入ってくる呼び出しを受けていると携帯電話に表示する。携帯電話が入ってくる呼び出しを受けているという表示を受信することにより、携帯電話はウェークアップされ、呼び出しを受けることができる。
【０１０２】
図１１は、本発明の実施形態に従うデュアル・モード・ワイヤレス通信装置におけるデータの送受信の方法５００を示すフローチャート図である。方法５００は、バッテリから電力を取り出すことなく実行可能な後方散乱方法５０２を含む。後方散乱方法５０２は、所定のバッテリ電力であるが現在の通信装置よりも相当少ないバッテリ電力を使用してさらに実施される。ブロック５０４では、ワイヤレス通信装置は、高周波信号を探索することにより利用可能な後方散乱接続があるかどうか判断する。後方散乱接続が利用可能でない場合、ワイヤレス通信装置は、Ｗｉ−Ｆｉ、３Ｇ、４Ｇ、あるいは他のＷＬＡＮ／ＷＡＮ接続のような別の接続を使用して、その電池式のモードで動作する。後方散乱接続が利用可能である場合、ブロック５０６では、ワイヤレス通信装置は基地局との接続を確立し、利用可能なデータがあるかどうかを判断する。
【０１０３】
ここに開示される所定の実施形態においては、任意のタイプのデータが、バッテリから任意の電力を取り出すことなく、あるいは現在の通信装置よりも相当少ないバッテリ電力のみを取り出すことのいずれかにより、ワイヤレス通信装置に送受信される。そのようなデータは、制限ではなく例として、電子メール、テキスト・メッセージ、マルチメディア・メッセージ、ビデオチャット／テレビ会議送信、アラート、通知、カレンダー更新、アドレス帳／コンタクト・リスト更新、ニュース・フィード、イメージ、あるいはビデオを含む。所定の実施形態においては、基地局はワイヤレス通信装置にソフトウェア・アップデート、ファームウェア・アップデートや、構成アップデートを送信する。所定の実施形態においては、ワイヤレス通信装置は、基地局経由で、遠隔の記憶ディスクにコピーされるデータを送信する。所定の実施形態においては、ワイヤレス通信装置は、ワイヤレス通信装置のセンサによって捕捉されるデータを基地局に送信する。ここに開示される特定の実施形態により、（現在の最新技術を定義する装置に対して）相当低い潜在性でより効率的なバッテリ消費が得られる。例として、Ｂｌｕｅｔｏｏｔｈ（登録商標）無線のピーク電力消費（多くのモバイル・デバイスにおける公知の最低電力の無線）は、１０乃至２０ｍＡであり、後方散乱ＲＦＩＤタグのバッテリ電力消費は０乃至１００μΑである。物理層データ転送速度がＢｌｕｅｔｏｏｔｈ（登録商標）無線よりも１０倍遅くても、後方散乱無線の電力消費は公知の無線よりも少なくとも１０倍よい。
【０１０４】
所定の実施形態においては、高周波信号を使用して送信される特定のタイプのデータは、タイプによって制限され、かつ／または優先される。このデータは、制限ではなく例として、（１）システム通知およびアラート、（２）テキストベースのデータ、（３）指定されたサイズを超えないデータのみ、（４）時間依存データのみ、（５）最優先または緊急とマークされた通信データ、（６）仕事関連の通信データ対個人的な通信データ、あるいは（７）例えば広告等の支払いをしたかスポンサー付きのデータ等である。所定の実施形態においては、テキストベースのデータにおいて、高周波信号や後方散乱通信チャンネルを使用する送信は、要約（例えば最大２５文字）に制限される。
【０１０５】
所定の実施形態においては、ソーシャルネットワーキング・システムに関連付けられたデータは、ワイヤレス通信装置との間で基地局経由で送受信される。高周波信号や後方散乱通信チャンネルを使用するこの送受信は、任意の関連要因によって制限され、かつ／または優先される。関連要因は、制限ではなく例として、（１）ワイヤレス通信装置に関連付けられたユーザと、送信のコンテンツやデータと関連付けられた任意のソーシャル・ネットワーキング・ユーザとの間の分離度、あるいは（２）送信のコンテンツやデータ用の、あるいはコンテンツやデータに関連付けられた任意のソーシャルグラフ要素用の、ワイヤレス通信装置に関連付けられたユーザの類似の基準などである。
【０１０６】
特定の実施形態においては、そのようなデータは、高周波信号から生成される動作電力よりも多くの動作電力を要する任意の視覚的または聴覚的アラートを活性化するワイヤレス通信装置なしで送信される。視覚的または聴覚的アラートは、最近受信した通信の要約のリストを簡潔に示すべく画面全体を照明するなどである。これに代えて、ワイヤレス通信装置は、例えばデータが受信されたことをユーザに知らせるために画面の１つ以上のピクセルのみ、あるいはサブセットのピクセルのみを照明するなど高周波信号から生成することができる動作電力のレベルが十分である低電力の視覚的および／または聴覚的アラートに代えてもよい。所定の実施形態においては、ワイヤレス通信装置は、高周波信号から生成される電力を格納するための電力低漏出のコンデンサまたは蓄電システムを備え、この電力は続いて高周波信号のみを使用して得られる電力よりもより多くの電力を必要とする、装置と一体的に形成されるコンポーネントおよび周辺機器のいずれかを使用して視覚的または聴覚的アラートに電力を供給することに使用される。
【０１０７】
データは、サーバからダウンロードするかあるいはワイヤレス通信装置からサーバにアップロードするのに利用可能である。様々な実施形態において、データは、ＴＣＰ／ＩＰ（伝送制御プロトコル／インターネット・プロトコル）あるいはＵＤＰ／ＩＰ（ユーザ・データグラム・プロトコル／インターネット・プロトコル）のようなプロトコルを修正することによって送信される。別例においては、データは、パケットになったデータ、例えばＳＭＴＰ（シンプルメールトランスファープロトコル）、ＨＴＭＬ（ハイパーテキストマークアップラングリッジ）、ＳＭＳ（ショートメッセージサービス）、ＩＭ（インスタント・メッセージング）、通話情報、あるいはボイス・メールとして無線チャンネル上に直接送信される。
【０１０８】
ブロック５０８では、ワイヤレス通信装置はデータを送受信し、これにより、ファーストイン・ファーストアウト（ＦＩＦＯ）キューを満たすか空にする。一実施によれば、ブロック５１０では、ワイヤレス通信装置は、ＦＩＦＯ受信データが満たされているかどうかを判断する。ＦＩＦＯ受信データが満たされている場合、ブロック５１８では、ワイヤレス通信装置は、ＦＩＦＯを空にするためにプロセッサをウェークアップする。ＦＩＦＯ受信データが満たされていない場合、ブロック５１２では、ワイヤレス通信装置はデータ転送が完了したかどうかを判断する。データ転送が完了していない場合、方法はブロック５０８に戻り、より多くのデータを受信する。一例によれば、ＦＩＦＯにおけるデータ量はＦＩＦＯの充填状態である。この例において、ＦＩＦＯが空の場合、充填状態はＦＩＦＯが空であることを示し、ＦＩＦＯが満たされている場合、充填状態はＦＩＦＯが満たされていることを示す。一例において、充填状態は、ＦＩＦＯにおける残りのスペースの量またはパーセンテージを示す。
【０１０９】
別の実施において、ブロック５１０では、ワイヤレス通信装置は、ＦＩＦＯ送信データが空かどうかを判断する。ＦＩＦＯ送信データが空の場合、ブロック５１８では、ワイヤレス通信装置は、ＦＩＦＯを満たすためにプロセッサをウェークアップする。ＦＩＦＯ受信データが空でない場合、ブロック５１２では、ワイヤレス通信装置はデータ転送が完了しているかどうかを判断する。データ転送が完了していない場合、方法はブロック５０８に戻り、より多くのデータを送信する。ＦＩＦＯは完全に受動的な音声モードにおいて使用されるか、あるいは、ＦＩＦＯは他のタイプのデータに使用される。一実施形態によれば、完全に受動的な音声モードはＦＩＦＯなしで機能する。
【０１１０】
一特徴によれば、方法５００は、利用可能な場合に後方散乱方法５０２を使用することによりデュアル・モード・ワイヤレス通信装置におけるバッテリ電力を保存する。
ワイヤレス通信装置はスリープモードにあり、メッセージを継続して受信し、バッテリから電力を取り出すことなく方法５０２を行い、バッテリの寿命を相当延ばす。
【０１１１】
図１２は、ソーシャルネットワーキング・システムに関連付けられている例示的なネットワーク環境１２００を示している。ネットワーク環境１２００は、ネットワーク１２１０によって互いにつながっているユーザ１２０１、クライアント・システム１２３０、ソーシャルネットワーキング・システム１２６０、およびサードパーティ・システム１２７０を含む。図１２は、ユーザ１２０１、クライアント・システム１２３０、ソーシャルネットワーキング・システム１２６０、サードパーティ・システム１２７０、およびネットワーク１２１０の特定の構成を示しているが、本開示は、ユーザ１２０１、クライアント・システム１２３０、ソーシャルネットワーキング・システム１２６０、サードパーティ・システム１２７０、およびネットワーク１２１０の任意の適切な構成を想定している。限定ではなく、例として、クライアント・システム１２３０、ソーシャルネットワーキング・システム１２６０、およびサードパーティ・システム１２７０のうちの複数は、ネットワーク１２１０を迂回して、互いに直接つながることが可能である。別の例として、クライアント・システム１２３０、ソーシャルネットワーキング・システム１２６０、およびサードパーティ・システム１２７０のうちの複数は、物理的にまたは論理的に、全体としてまたは部分的に互いに同一場所に配置されることが可能である。その上、図１２は、特定の数のユーザ１２０１、クライアント・システム１２３０、ソーシャルネットワーキング・システム１２６０、サードパーティ・システム１２７０、およびネットワーク１２１０を示しているが、本開示は、任意の適切な数のユーザ１２０１、クライアント・システム１２３０、ソーシャルネットワーキング・システム１２６０、サードパーティ・システム１２７０、およびネットワーク１２１０を想定している。限定ではなく、例として、ネットワーク環境１２００は、複数のユーザ１２０１、クライアント・システム１２３０、ソーシャルネットワーキング・システム１０６０、サードパーティ・システム１２７０、およびネットワーク１２１０を含むことができる。
【０１１２】
所定の実施形態においては、ユーザ１２０１は、ソーシャルネットワーキング・システム１２６０と対話するか、あるいはソーシャルネットワーキング・システム１２６０上で通信する個人（人のユーザ）、エンティティ（例えば企業、ビジネス、あるいはサードパーティ・アプリケーション）、あるいはグループ（例えば個人またはエンティティの）である。所定の実施形態においては、ソーシャルネットワーキング・システム１２６０はオンライン・ソーシャル・ネットワークをホストするネットワークアドレス可能なコンピューティング・システムである。ソーシャルネットワーキング・システム１２６０は、例えばユーザプロフィール・データ、コンセプトプロフィールデータ、ソーシャルグラフ情報、あるいはオンライン・ソーシャル・ネットワークと関係する他の適切なデータなどの、ソーシャル・ネットワーキング・データを生成し、格納し、送受信する。ソーシャルネットワーキング・システム１２６０は、ネットワーク環境１２００の他の要素によって直接あるいはネットワーク１２１０を介してアクセスされる。所定の実施形態においては、ソーシャルネットワーキング・システム１２６０は、ユーザ１２０１がソーシャルネットワーキング・システム１２６０によってログを記録されるか、他のシステム（例、サードパーティ・システム１２７０）と共有される行動を、例えばプライバシー・セッティングを設定することによりオプトインまたはオプトアウトできるようにする認証サーバ（あるいは他の適切なコンポーネント）を含む。ユーザのプライバシー・セッティングにより、ユーザに関連付けられるどのような情報のログが記録されるか、どのようにユーザに関連付けられる情報のログが記録されるか、いつユーザに関連付けられる情報がログを記録されるか、誰がユーザに関連付けられる情報のログを記録するか、誰がユーザに関連付けられる情報を共有するか、いかなる目的でユーザに関連付けられる情報のログを記録するか、あるいは情報を共有するかが決定される。認証サーバは、好適にブロッキング、データ・ハッシング、匿名化、あるいは他の適切な技術を介してソーシャルネットワーキング・システム３０のユーザの１つ以上のプライバシー・セッティングを強化するために使用される。サードパーティ・システム１２７０は、ネットワーク環境１２００の他の要素によって直接あるいはネットワーク１２１０を介してアクセスされる。
所定の実施形態においては、１人以上のユーザ１２０１は、ソーシャルネットワーキング・システム１２６０あるいはサードパーティ・システム１２７０にアクセスするための、あるいはデータを送受信するための１つ以上のクライアント・システム１２３０を使用する。クライアント・システム１２３０は、ソーシャルネットワーキング・システム１２６０あるいはサードパーティ・システム１２７０に直接、またはネットワーク１２１０を介して、あるいはサードパーティ・システムを介してアクセスする。制限ではなく、例として、クライアント・システム１２３０は、ソーシャルネットワーキング・システム１２６０を介してサードパーティ・システム１２７０にアクセスする。クライアント・システム１２３０は、例えばパソコン、ラップトップ・コンピュータ、携帯電話、スマートフォン、あるいはタブレット・コンピュータなどの任意の適切なコンピューティング・デバイスである。
【０１１３】
本開示は、任意の適切なネットワーク１２１０を想定している。限定ではなく、例として、ネットワーク１２１０の１つまたは複数の部分は、アド・ホック・ネットワーク、イントラネット、エクストラネット、仮想プライベート・ネットワーク（ＶＰＮ）、ローカルエリア・ネットワーク（ＬＡＮ）、ワイヤレスＬＡＮ（ＷＬＡＮ）、ワイドエリア・ネットワーク（ＷＡＮ）、ワイヤレスＷＡＮ（ＷＷＡＮ）、メトロポリタン・エリア・ネットワーク（ＭＡＮ）、インターネットの一部分、公衆交換電話網（ＰＳＴＮ）の一部分、セルラー電話ネットワーク、またはこれらのうちの複数の組合せを含むことができる。ネットワーク１２１０は、１つまたは複数のネットワーク１２１０を含むことができる。
【０１１４】
リンク１２５０は、クライアント・システム１２３０、ソーシャルネットワーキング・システム１２６０、およびサードパーティ・システム１２７０を通信ネットワーク１２１０に、または互いに接続することができる。本開示は、任意の適切なリンク１２５０を想定している。特定の実施形態においては、１つまたは複数のリンク１２５０は、１つもしくは複数の有線リンク（たとえば、デジタル・サブスクライバ・ライン（ＤＳＬ）もしくはデータ・オーバ・ケーブル・サービス・インターフェース仕様（ＤＯＣＳＩＳ）など）、ワイヤレス・リンク（たとえば、Ｗｉ−Ｆｉもしくはワールドワイド・インターオペラビリティー・フォー・マイクロウェーブ・アクセス（ＷｉＭＡＸ）など）、または光リンク（たとえば、同期光ネットワーク（ＳＯＮＥＴ）もしくは同期デジタル階層（ＳＤＨ）など）を含む。特定の実施形態においては、１つまたは複数のリンク１２５０はそれぞれ、アド・ホック・ネットワーク、イントラネット、エクストラネット、ＶＰＮ、ＬＡＮ、ＷＬＡＮ、ＷＡＮ、ＷＷＡＮ、ＭＡＮ、インターネットの一部分、ＰＳＴＮの一部分、セルラー・テクノロジーベースのネットワーク、衛星通信テクノロジーベースのネットワーク、別のリンク１２５０、または複数のそのようなリンク１２５０の組合せを含む。リンク１２５０は、ネットワーク環境１２００の全体を通じて必ずしも同じである必要はない。１つまたは複数の第１のリンク１２５０は、１つまたは複数の点において１つまたは複数の第２のリンク１２５０とは異なることが可能である。
【０１１５】
図１３は、例示的なソーシャルグラフ１３００を示している。特定の実施形態においては、ソーシャルネットワーキング・システム１２６０は、１つまたは複数のソーシャルグラフ１３００を１つまたは複数のデータ・ストア内に格納することができる。特定の実施形態においては、ソーシャルグラフ１３００は、複数のノード（複数のユーザ・ノード１３０２、または複数のコンセプト・ノード１３０４を含むことができる）と、ノード同士をつなげる複数のエッジ１３０６とを含むことができる。図１３において示されている例示的なソーシャルグラフ１３００は、教示上の目的から、２次元のビジュアル・マップ表示で示されている。特定の実施形態においては、ソーシャルネットワーキング・システム１２６０、クライアント・システム１２３０、またはサードパーティ・システム１２７０は、適切なアプリケーションに関してソーシャルグラフ１３００および関連したソーシャルグラフ情報にアクセスすることができる。ソーシャルグラフ１３００のノードおよびエッジは、データ・オブジェクトとして、たとえば（ソーシャルグラフ・データベースなどの）データ・ストア内に格納されることが可能である。そのようなデータ・ストアは、ソーシャルグラフ１３００のノードまたはエッジの１つまたは複数の検索可能なまたはクエリ可能なインデックスを含むことができる。
【０１１６】
特定の実施形態においては、ユーザ・ノード１３０２は、ソーシャルネットワーキング・システム１２６０のユーザに対応することができる。限定ではなく、例として、ユーザは、ソーシャルネットワーキング・システム１２６０と、またはソーシャルネットワーキング・システム１２６０を介して対話または通信する個人（人間のユーザ）、エンティティ（たとえば、企業、ビジネス、もしくはサードパーティ・アプリケーション）、または（たとえば、個人もしくはエンティティの）グループであることが可能である。特定の実施形態においては、あるユーザがソーシャルネットワーキング・システム１２６０とのアカウントに登録した場合には、ソーシャルネットワーキング・システム１２６０は、そのユーザに対応するユーザ・ノード１３０２を作成し、そのユーザ・ノード１３０２を１つまたは複数のデータ・ストア内に格納することができる。本明細書において記述されているユーザおよびユーザ・ノード１３０２は、適切な場合には、登録されているユーザ、および登録されているユーザに関連付けられているユーザ・ノード１３０２を指すことができる。追加として、または代替として、本明細書において記述されているユーザおよびユーザ・ノード１３０２は、適切な場合には、ソーシャルネットワーキング・システム１２６０に登録されていないユーザを指すことができる。特定の実施形態においては、ユーザ・ノード１３０２は、ユーザによって提供された情報、またはソーシャルネットワーキング・システム１２６０を含むさまざまなシステムによって収集された情報に関連付けられることが可能である。限定ではなく、例として、ユーザは、自分の名前、プロフィール画像、連絡先情報、生年月日、性別、婚姻状況、家族状況、勤務先、学歴、好み、関心、またはその他の人口統計学的情報を提供することができる。特定の実施形態においては、ユーザ・ノード１３０２は、ユーザに関連付けられている情報に対応する１つまたは複数のデータ・オブジェクトに関連付けられることが可能である。特定の実施形態においては、ユーザ・ノード１３０２は、１つまたは複数のウェブページに対応することができる。
【０１１７】
特定の実施形態においては、コンセプト・ノード１３０４は、コンセプトに対応することができる。限定ではなく、例として、コンセプトは、場所（たとえば、映画館、レストラン、ランドマーク、もしくは都市など）、ウェブサイト（たとえば、ソーシャルネットワーク・システム１２６０に関連付けられているウェブサイト、もしくはウェブアプリケーション・サーバに関連付けられているサードパーティ・ウェブサイトなど）、エンティティ（たとえば、人、企業、グループ、スポーツ・チーム、もしくは有名人など）、ソーシャルネットワーキング・システム１２６０内に、もしくはウェブアプリケーション・サーバなどの外部サーバ上に配置されることが可能であるリソース（たとえば、オーディオ・ファイル、ビデオ・ファイル、デジタル写真、テキスト・ファイル、構造化されたドキュメント、もしくはアプリケーションなど）、物的もしくは知的財産（たとえば、彫塑、絵画、映画、ゲーム、曲、アイディア、写真、もしくは執筆作品など）、ゲーム、アクティビティ、アイディアもしくは理論、別の適切なコンセプト、または複数のそのようなコンセプトに対応することができる。コンセプト・ノード１３０４は、ユーザによって提供されたコンセプトの情報、またはソーシャルネットワーキング・システム１２６０を含むさまざまなシステムによって収集された情報に関連付けられることが可能である。限定ではなく、例として、コンセプトの情報は、名前もしくはタイトル、１つもしくは複数のイメージ（たとえば、本の表紙のイメージ）、ロケーション（たとえば、住所もしくは地理的ロケーション）、（ＵＲＬに関連付けられることが可能である）ウェブサイト、連絡先情報（たとえば、電話番号もしくはＥメール・アドレス）、その他の適切なコンセプト情報、またはそのような情報の任意の適切な組合せを含むことができる。特定の実施形態においては、コンセプト・ノード１３０４は、コンセプト・ノード１３０４に関連付けられている情報に対応する１つまたは複数のデータ・オブジェクトに関連付けられることが可能である。特定の実施形態においては、コンセプト・ノード１３０４は、１つまたは複数のウェブページに対応することができる。
【０１１８】
特定の実施形態においては、ソーシャルグラフ１３００内のノードは、ウェブページ（「プロフィール・ページ」と呼ばれる場合もある）を表すこと、またはウェブページによって表されることが可能である。プロフィール・ページは、ソーシャルネットワーキング・システム１２６０によってホストされること、またはソーシャルネットワーキング・システム１２６０にとってアクセス可能であることが可能である。プロフィール・ページは、サードパーティ・サーバ１２７０に関連付けられているサードパーティ・ウェブサイト上にホストされることも可能である。限定ではなく、例として、特定の外部ウェブページに対応するプロフィール・ページは、その特定の外部ウェブページであることが可能であり、そのプロフィール・ページは、特定のコンセプト・ノード１３０４に対応することができる。プロフィール・ページは、その他のユーザのうちのすべてまたは選択されたサブセットによって閲覧できることが可能である。限定ではなく、例として、ユーザ・ノード１３０２は、対応するユーザ・プロフィール・ページを有することができ、そのユーザ・プロフィール・ページにおいては、対応するユーザが、コンテンツを付加すること、言明を行うこと、またはその他の形で自分自身を表現することが可能である。限定ではなく、別の例として、コンセプト・ノード１３０４は、対応するコンセプトプロフィール・ページを有することができ、そのコンセプトプロフィール・ページにおいては、１人または複数のユーザが、特にコンセプト・ノード１３０４に対応するコンセプトに関連して、コンテンツを付加すること、言明を行うこと、または自分自身を表現することが可能である。
【０１１９】
特定の実施形態においては、コンセプト・ノード１３０４は、サードパーティ・システム１２７０によってホストされているサードパーティ・ウェブページまたはリソースを表すことができる。サードパーティ・ウェブページまたはリソースは、数ある要素の中でも、コンテンツ、選択可能なもしくはその他のアイコン、または、アクションもしくはアクティビティを表す（たとえば、ＪＡＶＡＳＣＲＩＰＴ（登録商標）、ＡＪＡＸ、もしくはＰＨＰコードで実装されることが可能である）その他の対話可能なオブジェクトを含むことができる。限定ではなく、例として、サードパーティ・ウェブページは、「いいね！」、「チェックイン」、「食べる」、「推奨する」、または別の適切なアクションもしくはアクティビティなどの選択可能なアイコンを含むことができる。サードパーティ・ウェブページを閲覧しているユーザは、それらのアイコンのうちの１つ（たとえば、「食べる」）を選択することによってアクションを実行して、クライアント・システム１２３０に、そのユーザのアクションを示すメッセージをソーシャルネットワーキング・システム１２６０へ送信させることができる。そのメッセージに応答して、ソーシャルネットワーキング・システム１２６０は、ユーザに対応するユーザ・ノード１３０２と、サードパーティ・ウェブページまたはリソースに対応するコンセプト・ノード１３０４との間においてエッジ（たとえば、「食べる」エッジ）を作成して、エッジ１３０６を１つまたは複数のデータ・ストア内に格納することができる。
【０１２０】
特定の実施形態においては、ソーシャルグラフ１３００内の１対のノードが、１つまたは複数のエッジ１３０６によって互いにつながることが可能である。１対のノードをつなげるエッジ１３０６は、それらの１対のノードの間における関係を表すことができる。特定の実施形態においては、エッジ１３０６は、１対のノードの間における関係に対応する１つまたは複数のデータ・オブジェクトまたは属性を含むことまたは表すことが可能である。限定ではなく、例として、第１のユーザは、第２のユーザが第１のユーザの「友達」であるということを示すことができる。この表示に応答して、ソーシャルネットワーキング・システム１２６０は、「友達要求」を第２のユーザに送信することができる。第２のユーザがその「友達要求」を承認した場合には、ソーシャルネットワーキング・システム１２６０は、ソーシャルグラフ１３００内で第１のユーザのユーザ・ノード１３０２を第２のユーザのユーザ・ノード１３０２につなげるエッジ１３０６を作成して、エッジ１３０６をソーシャルグラフ情報としてデータ・ストア１２６４のうちの１つまたは複数の中に格納することができる。図１３の例においては、ソーシャルグラフ１３００は、ユーザ「Ａ」のユーザ・ノード１３０２と、ユーザ「Ｂ」のユーザ・ノード１３０２との間における友達関係を示すエッジ１３０６と、ユーザ「Ｃ」のユーザ・ノード１３０２と、ユーザ「Ｂ」のユーザ・ノード１３０２との間における友達関係を示すエッジとを含む。本開示は、特定のユーザ・ノード１３０２同士をつなげる特定の属性を伴う特定のエッジ１３０６を記述している、または示しているが、本開示は、ユーザ・ノード１３０２同士をつなげる任意の適切な属性を伴う任意の適切なエッジ１３０６を想定している。限定ではなく、例として、エッジ１３０６は、友達関係、家族関係、ビジネスもしくは雇用関係、ファン関係、フォロワー関係、ビジター関係、サブスクライバ関係、上下関係、互恵的関係、非互恵的関係、別の適切なタイプの関係、または複数のそのような関係を表すことができる。その上、本開示は一般に、ノード同士をつながっているものとして記述しているが、本開示はまた、ユーザ同士またはコンセプト同士をつながっているものとして記述している。本明細書においては、つながっているユーザ同士またはコンセプト同士への言及は、適切な場合には、１つまたは複数のエッジ１３０６によってソーシャルグラフ１３００内でつながっているそれらのユーザ同士またはコンセプト同士に対応するノード同士を指すことができる。
【０１２１】
特定の実施形態においては、ユーザ・ノード１３０２とコンセプト・ノード１３０４との間におけるエッジ１３０６は、ユーザ・ノード１３０２に関連付けられているユーザによって、コンセプト・ノード１３０４に関連付けられているコンセプトに対して実行された特定のアクションまたはアクティビティを表すことができる。限定ではなく、例として、図１３において示されているように、ユーザは、コンセプトに対して「いいね！を表明すること」、「通うこと」、「プレイすること」、「聴くこと」、「料理すること」、「勤務すること」、または「観ること」を行った可能性があり、それらのそれぞれは、エッジタイプまたはサブタイプに対応することができる。コンセプト・ノード１３０４に対応するコンセプトプロフィール・ページは、たとえば、選択可能な「チェックイン」アイコン（たとえば、クリック可能な「チェックイン」アイコンなど）、または選択可能な「お気に入りに追加」アイコンを含むことができる。同様に、ユーザがこれらのアイコンをクリックした後に、ソーシャルネットワーキング・システム１２６０は、それぞれのアクションに対応するユーザのアクションに応答して「お気に入り」エッジまたは「チェックイン」エッジを作成することができる。限定ではなく、別の例として、あるユーザ（ユーザ「Ｃ」）が、特定のアプリケーション（オンライン音楽アプリケーションであるＳＰＯＴＩＦＹ）を使用して特定の曲（「ランブル・オン」）を聴く場合がある。このケースにおいては、ソーシャルネットワーキング・システム１２６０は、そのユーザに対応するユーザ・ノード１３０２と、その曲およびアプリケーションに対応するコンセプト・ノード１３０４との間において、（図１３に示されているような）「聴いた」エッジ１３０６および「使用した」エッジを作成して、そのユーザがその曲を聴いてそのアプリケーションを使用したということを示すことができる。その上、ソーシャルネットワーキング・システム１２６０は、その曲に対応するコンセプト・ノード１３０４と、そのアプリケーションに対応するコンセプト・ノード１３０４との間において、（図１３に示されているような）「再生した」エッジ１３０６を作成して、その特定の曲がその特定のアプリケーションによって再生されたということを示すことができる。このケースにおいては、「再生した」エッジ１３０６は、外部アプリケーション（ＳＰＯＴＩＦＹ）によって外部オーディオ・ファイル（「イマジン」という曲）に関して実行されたアクションに対応する。本開示は、ユーザ・ノード１３０２とコンセプト・ノード１３０４とをつなげる特定の属性を伴う特定のエッジ１３０６について記述しているが、本開示は、ユーザ・ノード１３０２とコンセプト・ノード１３０４とをつなげる任意の適切な属性を伴う任意の適切なエッジ１３０６を想定している。その上、本開示は、単一の関係を表すユーザ・ノード１３０２とコンセプト・ノード１３０４との間におけるエッジについて記述しているが、本開示は、１つまたは複数の関係を表すユーザ・ノード１３０２とコンセプト・ノード１３０４との間におけるエッジを想定している。限定ではなく、例として、エッジ１３０６は、ユーザが特定のコンセプトに対して「いいね！」を表明しているということ、およびその特定のコンセプトを使用したということの両方を表すことができる。あるいは、別のエッジ１３０６は、（図１３において、ユーザ「Ｅ」を表すユーザ・ノード１３０２と、「ＳＰＯＴＩＦＹ」を表すコンセプト・ノード１３０４との間において示されているような）ユーザ・ノード１３０２とコンセプト・ノード１３０４との間におけるそれぞれのタイプの関係（または、単一の関係が複数集まったもの）を表すことができる。
【０１２２】
特定の実施形態においては、ソーシャルネットワーキング・システム１２６０は、ソーシャルグラフ１３００内でユーザ・ノード１３０２とコンセプト・ノード１３０４との間においてエッジ１３０６を作成することができる。限定ではなく、例として、（たとえば、ユーザのクライアント・システム１２３０によってホストされているウェブ・ブラウザまたは専用のアプリケーションを使用することなどによって）コンセプトプロフィール・ページを閲覧しているユーザは、「いいね！」アイコンをクリックまたは選択することにより、コンセプト・ノード１３０４によって表されているコンセプトを自分が気に入っているということを示すことができ、その「いいね！」アイコンをクリックまたは選択することは、ユーザのクライアント・システム１２３０に、そのコンセプトプロフィール・ページに関連付けられているそのコンセプトをそのユーザが気に入っているということを示すメッセージをソーシャルネットワーキング・システム１２６０へ送信させることができる。そのメッセージに応答して、ソーシャルネットワーキング・システム１２６０は、そのユーザとコンセプト・ノード１３０４との間における「いいね！」エッジ１３０６によって示されているように、そのユーザに関連付けられているユーザ・ノード１３０２とコンセプト・ノード１３０４との間においてエッジ１３０６を作成することができる。特定の実施形態においては、ソーシャルネットワーキング・システム１２６０は、エッジ１３０６を１つまたは複数のデータ・ストア内に格納することができる。特定の実施形態においては、エッジ１３０６は、特定のユーザ・アクションに応答してソーシャルネットワーキング・システム１２６０によって自動的に形成されることが可能である。限定ではなく、例として、第１のユーザが、画像をアップロードすること、映画を観ること、または曲を聴くことを行った場合には、エッジ１３０６は、第１のユーザに対応するユーザ・ノード１３０２と、それらのコンセプトに対応するコンセプト・ノード１３０４との間において形成されることが可能である。本開示は、特定の様式で特定のエッジ１３０６を形成することについて記述しているが、本開示は、任意の適切な様式で任意の適切なエッジ１３０６を形成することを想定している。
【０１２３】
特定の実施形態においては、広告は、テキスト（ＨＴＭＬリンクされる）、１つ以上のイメージ（ＨＴＭＬリンクされる）、１つ以上のビデオ、オーディオ、１つ以上のアドビ・フラッシュファイル、これらの適切な組み合わせ、あるいは１つ以上のウェブページ上に、１通以上の電子メールに示される、あるいはユーザによって要求された検索結果に関する任意の適切なデジタル形式の任意の他の適切な広告である。付加的に、あるいはこれに代えて、広告は、１つ以上のスンポンサード・ストーリ（例えばソーシャルネットワーキング・システム１２６０上のニュース・フィードあるいはティッカー・アイテム）である。スポンサード・ストーリは、ユーザによるソーシャル・アクションである（例えば、ページを「いいね！」し、ページで「いいね！」するかコメントし、ページに関連付けられたイベントに回答を促し（ＲＳＶＰｉｎｇ）、ページに投稿された質問に投票し、場所にチェックインし、アプリケーションを使用するか、ゲームをプレイし、あるいはウェブサイトを「いいね！」するか共有する）。広告主は、例えば、ユーザのプロフィール・ページあるいは他のページの予め定められた領域内で示されたソーシャル・アクションを、広告主に関連付けられた付加的な情報とともに示し、他のユーザのニュース・フィードやティッカー内で立体表示するか強調表示し、あるいは他の方法で促進することにより促進する。広告主はソーシャル・アクションを促進するために支払いをする。限定ではなく、例として、広告は、検索結果ページの検索結果の中に含まれ、スポンサー付きのコンテンツが、スポンサーなしのコンテンツに対して促進される。
【０１２４】
特定の実施形態においては、広告は、ソーシャルネットワーキング・システム・ウェブ・ページ、サードパーティ・ウェブページ、あるいは他のページ内に表示されるように要求される。広告は、例えばページのトップのバナー領域に、ページの側部の欄に、ページのＧＵＩに、ポップアップ・ウィンドウに、ドロップダウン・メニューに、ページの入力フィールドに、ページのコンテンツのトップ上に、あるいはページに対する他の位置などの、ページの専用部分に表示される。付加的に、あるいはこれに代えて、広告はアプリケーション内に表示されてもよい。広告は、専用ページ内に表示され、ユーザがページにアクセスするかアプリケーションを利用するに先だって、広告と対話するか広告を見ることをユーザに要求する。ユーザは、例えばウェブ・ブラウザを介して広告を見る。
【０１２５】
ユーザは任意の適切な方法で広告と対話する。ユーザは広告をクリックするか選択する。広告を選択することによって、広告に関連付けられたページにユーザ（あるいはユーザによって使用されるブラウザまたは他のアプリケーション）は案内される。広告に関連付けられたページでは、ユーザは、広告に関連付けられた製品やサービスの購入、広告に関連付けられた情報の受信、あるいは広告に関連付けられたニュースレターの購読などの付加的なアクションを行う。オーディオまたはビデオを備えた広告は、広告のコンポーネント（「再生ボタン」のような）を選択することにより再生される。これに代えて、広告を選択することによって、ソーシャルネットワーキング・システム１２６０は、ユーザの特定のアクションを実行乃至修正する。
【０１２６】
広告は、ユーザが対話するソーシャルネットワーキング・システムの機能をさらに含む。限定ではなく、例として、ユーザは広告によって「いいね！」するか、あるいは支持に関連付けられたアイコンやリンクを選択することにより、広告を支持することができる。限定ではなく、別の例として、ユーザは広告によって広告主に関係するコンテンツを検索可能である（例えば、クエリを実行することによって）。同様に、ユーザは、広告に関連付けられたイベントを、別のユーザ（例えばソーシャルネットワーキング・システム１２６０を介して）あるいはＲＳＶＰ（例えばソーシャルネットワーキング・システム１２６０を介して）と広告を共有する。付加的に、あるいはこれに代えて、広告は、ユーザに向けられたソーシャルネットワーキング・システム・コンテキストを含んでいてもよい。限定ではなく、例として、広告は、広告の主題に関連付けられたアクションを行った、ソーシャルネットワーキング・システム１２６０内のユーザの友達に関する情報を表示する。
【０１２７】
特定の実施形態においては、ソーシャルネットワーキング・システム１２６０は、互いに対する様々なソーシャルグラフエンティティのソーシャルグラフの類似性（以下「類似性」と呼ぶ）を決定する。類似性は、オンライン・ソーシャル・ネットワークに関連付けられる特定のオブジェクト間の関係または関心のレベルの強さを示し、オブジェクトは例えばユーザ、コンセプト、コンテンツ、アクション、広告、オンライン・ソーシャル・ネットワークに関連付けられる他のオブジェクト、あるいはその任意の適切な組み合わせなどである。類似性は、サードパーティ・システム１２７０や他の適切なシステムに関連付けられたオブジェクトに対してさらに決定される。各ユーザ、主題や、コンテンツのタイプにおけるソーシャルグラフのエンティティの全体的な類似性が確立される。全体的な類似性は、ソーシャルグラフのエンティティに関連付けられるアクションや関係の継続的なモニタリングに基づいて変化する。本開示は、特定の方法で特定の類似性を決定することを記述するが、本開示においては、任意の適切な方法で任意の適切な類似性を決定することが考えられる。
【０１２８】
特定の実施形態においては、ソーシャルネットワーキング・システム１２６０は類似係数（以下「係数」と呼ぶ）を使用して、ソーシャルグラフの類似性を測定乃至定量する。係数は、オンライン・ソーシャル・ネットワークに関連付けられた特定のオブジェクト間の関係の強さを示すか定量する。係数は、ユーザがユーザのアクションにおける関心に基づいて特定のアクションを行う確率または予測される確率を測定する機能をさらに示す。このように、ユーザの将来のアクションはユーザの先のアクションに基づいて予想され、係数は、ユーザのアクションの履歴に少なくとも一部基づいて計算される。係数は任意の数のアクションを予想することに使用され、これは、オンライン・ソーシャル・ネットワーク内、あるいはそのネットワークの外部である。限定ではなく、例として、これらのアクションは、メッセージ送信、投稿内容、あるいは内容に関するコメントなどの様々なタイプのコミュニケーション、プロフィール・ページ、メディア、あるいは好適なコンテンツにアクセスしたり見るなどの様々なタイプの観察アクション、同じグループ内、同じ写真でのタグ付け、同じロケーションでのチェックイン、あるいは同じイベントへの参加などの２つ以上のソーシャルグラフのエンティティに関する様々なタイプの一致情報、あるいは他の適切なアクションを含む。本開示は、特定の方法で類似性を測定することを記述するが、本開示においては、任意の適切な方法で類似性を測定することが考えられる。
【０１２９】
特定の実施形態においては、ソーシャルネットワーキング・システム１２６０は、係数を計算するための様々な要因を使用する。これらの要因は例えば、ユーザ・アクション、オブジェクト間の関係のタイプ、位置情報、他の適切な要因、あるいはこれらの任意の組み合わせを含む。特定の実施形態においては、係数を計算する場合、異なる要因が異なって重み付けされる。各要因のウェイトは固定であるか、あるいはウェイトは、例えばユーザ、関係のタイプ、アクションのタイプ、ユーザの位置などによって変化する。ユーザのための全体的な係数を決定するために、要因における格付けは、それらのウェイトに応じて組み合わされる。限定ではなく、例として、特定のユーザ・アクションは格付けとウェイトの両者を割り当てられ、特定のユーザ・アクションに関連付けられた関係は、格付けおよび関連するウェイト（例えば、これによりウェイトは１００％になる）を割り当てられる。特定のオブジェクトへのユーザの係数を計算するために、ユーザのアクションに割り当てられた格付けは、例えば、全体的な係数の６０％からなり、ユーザとオブジェクトとの間の関係は、全体的な係数の４０％からなる。特定の実施形態において、ソーシャルネットワーキング・システム１２６０は、係数を計算するために様々な要因のウェイトを決定する際に様々な変数を考慮する。例えば、情報がアクセスされてからの時間、減衰要因、アクセスの頻度、情報に対する関係あるいは情報がアクセスされたオブジェクトに対する関係、オブジェクトにつながるソーシャルグラフのエンティティとの関係、ユーザ・アクションの短期的または長期的な平均、ユーザ・フィードバック、他の適切な変数、あるいはこれらの任意の組み合わせなどである。限定ではなく、例として、係数は、特定のアクションによって得られる信号の強さを時間とともに減衰させる減衰要因を含み、これにより係数を計算する際に、より最近のアクションがより関連する。格付けおよびウェイトは、係数が基礎とするアクションの継続的な追跡に基づいて常に更新される。任意のタイプのプロセスやアルゴリズムが、各要因の格付けおよび要因に割り当てられるウェイトを割り当て、組み合わせ、平均するなどに使用される。特定の実施形態においては、ソーシャルネットワーキング・システム１２６０は、履歴上のアクション、および過去のユーザ応答に向けられる機械学習アルゴリズム、あるいは様々な選択肢にさらされるとともに応答を測定することによってユーザから得られるデータを使用して、係数を決定する。本開示は、特定の方法で係数を計算することを記述するが、本開示においては、任意の適切な方法で係数を計算することが考えられる。
【０１３０】
特定の実施形態においては、ソーシャルネットワーキング・システム１２６０は、ユーザのアクションに基づいて係数を計算する。ソーシャルネットワーキング・システム１２６０は、オンライン・ソーシャル・ネットワーク上、サードパーティ・システム１２７０上、他の適切なシステム上、あるいはこれらの任意の組み合わせ上のアクションをモニタする。任意の適切なタイプのユーザ・アクションは追跡され、モニタされる。例示的なユーザ・アクションは、プロフィール・ページを見ること、コンテンツの形成または投稿、コンテンツとの対話、グループ連結、イベントにおけるリスト作成および参加確認、ロケーションでのチェックイン、特定のページのリンク貼り、ページ形成、およびソーシャル・アクションを促進する他のタスクを含む。特定の実施形態においては、ソーシャルネットワーキング・システム１２６０は、特定のタイプのコンテンツでのユーザのアクションに基づいて係数を計算する。コンテンツはオンライン・ソーシャル・ネットワーク、サードパーティ・システム１２７０、あるいは別の適切なシステムに関連付けられる。コンテンツは、ユーザ、プロフィール・ページ、ポスト、ニュース記事、ヘッドライン、インスタント・メッセージ、チャット・ルーム会話、電子メール、広告、画像、ビデオ、音楽、他の適切なオブジェクト、あるいはこれらの任意の組み合わせを含む。ソーシャルネットワーキング・システム１２６０は、１つ以上のアクションが主題、コンテンツ、他のユーザなどへの類似性を示すかどうか判断するためにユーザのアクションを分析する。限定ではなく、例として、ユーザが「コーヒー」やその変形に関連してコンテンツを頻繁に投稿する場合、ソーシャルネットワーキング・システム１２６０は、ユーザが概念「コーヒー」に対して高い係数を有すると判断する。特定のアクションあるいはアクションのタイプは、他のアクションよりも高いウェイトおよび／または格付けを割り当て、これは全体的な計算された係数に影響する。限定ではなく、例として、第１のユーザが第２のユーザに電子メールを送る場合、アクションのウェイトや格付けは、第１のユーザが第２のユーザのユーザ・プロフィール・ページを単に見る場合よりも高い。
【０１３１】
特定の実施形態においては、ソーシャルネットワーキング・システム１２６０は、特定のオブジェクト間の関係のタイプに基づいて係数を計算する。ソーシャルグラフ１３００を参照して、ソーシャルネットワーキング・システム１２６０は、係数を計算する際に特定のユーザ・ノード１３０２およびコンセプト・ノード１３０４をつなぐエッジ１３０６の数および／またはタイプを分析する。限定ではなく、例として、配偶者タイプのエッジ（２人のユーザが結婚していることを示す）によってつなげられるユーザ・ノード１３０２は、友達タイプのエッジによってつなげられるユーザ・ノード１３０２よりも高い係数を割り当てられる。すなわち、特定のユーザにおけるアクションおよび関係に割り当てられるウェイトに応じて、全体的な類似性は、ユーザの友達に関するコンテンツにおけるよりもユーザの配偶者に関するコンテンツにおいてより高いと判断される。特定の実施形態においては、ユーザが別のオブジェクトと有する関係は、そのオブジェクトの係数の計算に関して、ユーザのアクションのウェイトおよび／または格付けに影響する。限定ではなく、例として、ユーザが第１の写真においてタグ付けされるが、単に第２の写真をいいね！する場合、コンテンツでタグ付けタイプの関係を有することは、コンテンツでいいね！タイプの関係を有するよりも高いウェイトおよび／または格付けを割り当てられるため、ソーシャルネットワーキング・システム１２６０は、ユーザが第２の写真よりも第１の写真に対してより高い係数を有すると判断する。特定の実施形態においては、ソーシャルネットワーキング・システム１２６０は、特定のオブジェクトで１人以上の第２のユーザが有する関係に基づいて第１のユーザの係数を計算する。すなわち、他のユーザがオブジェクトで有するつながりおよび係数は、第１のユーザのオブジェクトの係数に影響する。限定ではなく、例として、第１のユーザが１人以上の第２のユーザにつながるか高い係数を有し、それらの第２のユーザが特定のオブジェクトにつながるか高い係数を有する場合、ソーシャルネットワーキング・システム１２６０は、第１のユーザが特定のオブジェクトに比較的高い係数をさらに有すると判断する。特定の実施形態においては、係数は特定のオブジェクト間の隔たりの次数に基づく。より低い係数は、第１のユーザが、ソーシャルグラフ１３００における第１のユーザに間接的につながるユーザのコンテンツ・オブジェクトへの関心を共有する可能性が低減されることを示す。限定ではなく、例として、ソーシャルグラフ１３００においてより近い（つまり、より小次の隔たり）ソーシャルグラフのエンティティは、ソーシャルグラフ１３００においてさらに離間したエンティティよりも高い係数を有する。
【０１３２】
特定の実施形態においては、ソーシャルネットワーキング・システム１２６０は、位置情報に基づいて係数を計算する。地理的に互いに近いオブジェクトは、互いにより離れたオブジェクトよりもより関連付けられるか、より高い関心を有するものと考えられる。特定の実施形態においては、特定のオブジェクトへのユーザの係数は、ユーザ（あるいはユーザのクライアント・システム１２３０の位置）に関連付けられる現在位置へのオブジェクトの位置の接近に基づく。第１のユーザは、第１のユーザに近接する他のユーザやコンセプトにより関心を有する。限定ではなく、例として、ユーザが空港から１マイル（約１．６キロメートル）かつガソリン・スタンドから２マイル（約３．２キロメートル）にいる場合、ソーシャルネットワーキング・システム１２６０は、ユーザに対する空港の近接に基づき、ユーザがガソリン・スタンドよりも空港により高い係数を有すると判断する。
【０１３３】
特定の実施形態においては、ソーシャルネットワーキング・システム１２６０は係数情報に基づいてユーザに対して特定のアクションを実行する。係数は、ユーザがユーザのアクションへの関心に基づいて特定のアクションを実行するかどうかを予想するために使用される。広告、検索結果、ニュース記事、メディア、メッセージ、通知、あるいは他の適切なオブジェクトなどのユーザへの任意のタイプのオブジェクトを生成するか提示する際に、係数が使用される。場合に応じて係数は、そのようなオブジェクトをランク付け、および順序づけするためにも利用される。このように、ソーシャルネットワーキング・システム１２６０は、ユーザの関心および現在の状況に関連する情報を提供し、関心のあるそのような情報を見つける確率を上げる。特定の実施形態においては、ソーシャルネットワーキング・システム１２６０は、係数情報に基づいてコンテンツを生成する。コンテンツ・オブジェクトはユーザに特有の係数に基づいて、提供乃至選択される。限定ではなく、例として、係数はユーザのためにメディアを生成することに使用され、ユーザは、ユーザがメディア・オブジェクトに対して高い全体的な係数を有するメディアを提供される。限定ではなく、別例として、係数はユーザのために広告を生成することに使用され、ユーザは、ユーザが広告されるオブジェクトに対して高い全体的な係数を有する広告を提供される。特定の実施形態においては、ソーシャルネットワーキング・システム１２６０は、係数情報に基づいて検索結果を生成する。特定のユーザのための検索結果は、クエリ・ユーザに対する検索結果に関連付けられた係数に基づいて、スコア付け乃至ランク付けされる。限定ではなく、例として、より高い係数を備えたオブジェクトに対応する検索結果は、より低い係数を有するオブジェクトに対応する結果よりも検索結果ページに、より高くランク付けされる。
【０１３４】
特定の実施形態においては、ソーシャルネットワーキング・システム１２６０は、特定のシステムかプロセスからの係数のリクエストに応じて係数を計算する。ユーザが所与の状況で取る可能性の高いアクション（あるいは主題である）を予想するために、任意のプロセスが、ユーザのための計算された係数をリクエストする。リクエストは、係数を計算するために使用される様々な要因に使用する１組のウェイトを含む。このリクエストは、オンライン・ソーシャル・ネットワーク上で実行されるプロセスに、サードパーティ・システム１２７０（例えばＡＰＩあるいは他の通信チャンネルを介した）に、あるいは別の適切なシステムに由来する。リクエストに応じて、ソーシャルネットワーキング・システム１２６０は係数を計算する（あるいは以前に計算され格納されている場合、係数情報にアクセスする）。特定の実施形態においては、ソーシャルネットワーキング・システム１２６０は、特定のプロセスに関して類似性を測定する。異なるプロセス（オンライン・ソーシャル・ネットワーク内部・外部の両者）は、特定のオブジェクトあるいはオブジェクトの組の係数をリクエストする。ソーシャルネットワーキング・システム１２６０は、類似性の基準をリクエストした特定のプロセスに関連する類似性の基準を提供する。このように、プロセスはそれぞれ、プロセスが類似性の基準を使用する、異なるコンテキストに適合する類似性の基準を受け取る。
【０１３５】
ソーシャルグラフの類似性および類似係数に関して、特定の実施形態は、２００６年８月１１日に出願された米国特許出願第１１／５０３０９３号明細書、２０１０年１２月２２日に出願された米国特許出願第１２／９７７０２７号明細書、２０１０年１２月２３日に出願された米国特許出願第１２／９７８２６５号明細書、および２０１２年１０月１日に出願された米国特許出願第１３／６３２８６９号明細書に開示される１つ以上のシステム、コンポーネント、要素、機能、方法、作動、あるいは工程を利用し、これらの明細書は各々その全体がここに開示されたものとする。
【０１３６】
上述した実施形態において、ワイヤレス通信装置はローカル基地局と通信する。一実施において、設備は、設備の全体にわたって配置される複数の基地局を含み、ワイヤレス・デバイスのユーザは、ユーザのロケーションに基づいて異なる基地局に接続する設備を通過して移動する。基地局は、Ｂｌｕｅｔｏｏｔｈ（登録商標）、Ｗｉ−Ｆｉ、３Ｇ、および４Ｇのような有線または無線技術を使用して、複数のワイヤレス通信装置の各々との通信を調整するように互いに通信する。さらに、基地局は各々２つ以上のワイヤレス通信装置で動作する。
【０１３７】
上述したように、本発明の実施形態において、ワイヤレス通信装置がバッテリ・電力なしで所定の動作モードで完全に動作可能であることによる相当な効果が得られる。
以上、少なくとも一実施形態のいくつかの態様について上述したが、様々な変更、修正、および改良が容易に当業者に思い浮かぶであろうものといえる。そのような変更、修正、および改良は、本開示の一部であると意図され、本発明の範囲内に当たるものと意図される。従って、上記明細書および図面は例示のみであり、本発明の範囲は添付の特許請求の範囲およびそれらの均等物の適切な構成から決定されるべきである。
【図６】
2016519865.tif 000014
【図８Ａ】
2016519865.tif 000015
【図８Ｂ】
2016519865.tif 000016
【図８Ｃ】
2016519865.tif 000017
【図９】
2016519865.tif 000018
【図１】
2016519865.tif 000019
【図２】
2016519865.tif 000020
【図３】
2016519865.tif 000021
【図４】
2016519865.tif 000022
【図５】
2016519865.tif 000023
【図７】
2016519865.tif 000024
【図１０】
2016519865.tif 000025
【図１１】
2016519865.tif 000026
【図１２】
2016519865.tif 000027
【図１３】
2016519865.tif 000028
【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
ワイヤレス通信システムであって、
ソーシャルネットワーキング・システムのユーザに関連付けられるワイヤレス・デバイスであって、前記ユーザは前記ソーシャルネットワーキング・システムのソーシャルグラフにおけるユーザ・ノードによって示される、ワイヤレス・デバイスと、
前記ソーシャルネットワーキング・システムから複数のコンテンツ部分を含む情報を受信するように構成されるネットワーク接続および高周波信号を使用して前記ワイヤレス・デバイスにデータを送信するように構成される高周波（ＲＦ）送受信機を有する基地局とを備え、
前記ワイヤレス・デバイスに送信される前記データは、前記ソーシャルネットワーキング・システムから受信される前記コンテンツ部分のうちの少なくとも１つを含み、
前記ワイヤレス・デバイスに送信される前記データのうちの少なくともいくつかは、前記ユーザに関連付けられるソーシャルネットワーキング情報に少なくとも一部基づき制限されるか優先され、
前記ユーザに関連付けられる前記ソーシャルネットワーキング情報は、前記複数のコンテンツ部分にそれぞれ対応する複数の類似性係数を含み、
各類似性係数は、前記コンテンツ部分のうちの１つに対する前記ユーザの類似性を示し、かつ前記ユーザ・ノードと、前記コンテンツ部分のうちの前記１つに関連付けられる他のノードとの間における前記ソーシャルグラフの隔たりの次数に少なくとも一部基づき、
前記ワイヤレス・デバイスは、前記高周波信号から前記ワイヤレス・デバイスのための動作電力を生成し、前記高周波信号を使用して前記高周波送受信機によって送信される前記データを受信し、後方散乱通信を使用して前記基地局に他のデータを通信するように構成されることを特徴とするワイヤレス通信システム。
【請求項２】
前記ワイヤレス・デバイスは、前記高周波信号を使用して送信される前記データを受信するために前記高周波信号から生成される前記動作電力を使用するように構成されることを特徴とする請求項１に記載のシステム。
【請求項３】
前記ワイヤレス・デバイスは、前記高周波信号から生成される前記動作電力のみに依存することにより、前記高周波信号を使用して送信される前記データを受信するように構成されることを特徴とする請求項２に記載のシステム。
【請求項４】
前記ワイヤレス・デバイスは、低電力の警告を生成するように構成されることを特徴とする請求項１に記載のシステム。
【請求項５】
前記低電力の警告は、一体的な要素および周辺機器のいずれかによって生成されることを特徴とする請求項４に記載のシステム。
【請求項６】
各々ユニークなアドレスを有するとともに各々前記高周波信号から動作電力を生成するように構成される複数のワイヤレス・デバイスをさらに含み、前記基地局は、前記複数のワイヤレス・デバイスの各々から後方散乱通信を受信するように構成されることを特徴とする請求項１に記載のシステム。
【請求項７】
前記基地局は、前記高周波信号を使用して前記ワイヤレス・デバイスの各々にデータを送信するように構成されることを特徴とする請求項６に記載のシステム。
【請求項８】
前記ユーザに関連付けられる前記ソーシャルネットワーキング情報は、前記ユーザ・ノードと他のユーザを示す他のユーザ・ノードとの間において前記ソーシャルグラフに隔たりの次数をさらに含み、前記他のユーザは前記コンテンツ部分の１つ以上に関連付けられることを特徴とする請求項１に記載のシステム。
【請求項９】
前記類似性係数の各々は、前記ワイヤレス・デバイスの現在位置と前記コンテンツ部分のうちの前記１つに関連付けられる位置との間の距離にさらに基づくことを特徴とする請求項１に記載のシステム。
【請求項１０】
前記ワイヤレス・デバイスに送信される前記少なくとも１つのコンテンツ部分は各々特定のしきい値類似性値を超える類似性係数に関連付けられることを特徴とする請求項１に記載のシステム。
【請求項１１】
基地局の高周波（ＲＦ）送受信機によって、高周波信号を使用してワイヤレス・デバイスにデータを送信する工程であって、前記ワイヤレス・デバイスは、ソーシャルネットワーキング・システムのユーザに関連付けられ、前記ユーザは前記ソーシャルネットワーキング・システムのソーシャルグラフにおけるユーザ・ノードによって示され、前記基地局は、前記ソーシャルネットワーキング・システムから複数のコンテンツ部分を含む情報を受信するように構成されるネットワーク接続を含み、前記ワイヤレス・デバイスに送信される前記データは、前記ソーシャルネットワーキング・システムから受信される前記コンテンツ部分のうちの少なくとも１つを含み、前記ワイヤレス・デバイスに送信される前記データのうちの少なくともいくつかは、前記ユーザに関連付けられるソーシャルネットワーキング情報に少なくとも一部基づき制限されるか優先され、前記ユーザに関連付けられる前記ソーシャルネットワーキング情報は、前記複数のコンテンツ部分にそれぞれ対応する複数の類似性係数を含み、各類似性係数は、前記コンテンツ部分のうちの１つに対する前記ユーザの類似性を示し、かつ前記ユーザ・ノードと、前記コンテンツ部分のうちの前記１つに関連付けられる、前記ソーシャルグラフにおける他のノードとの間における前記ソーシャルグラフの隔たりの次数に少なくとも一部基づく、ワイヤレス・デバイスにデータを送信する工程と、
前記基地局によって、前記ワイヤレス・デバイスから他のデータを受信する工程とを含み、前記ワイヤレス・デバイスは、前記高周波信号から前記ワイヤレス・デバイスのための動作電力を生成し、前記高周波信号を使用して前記高周波送受信機によって送信される前記データを受信し、後方散乱通信を使用して前記ワイヤレス・デバイスから前記基地局に前記他のデータを通信するように構成されることを特徴とする方法。
【請求項１２】
前記ワイヤレス・デバイスは、前記高周波信号を使用して送信される前記データを受信するために前記高周波信号から生成される前記動作電力を使用するように構成されることを特徴とする請求項１１に記載の方法。
【請求項１３】
前記ワイヤレス・デバイスは、前記高周波信号から生成される前記動作電力のみに依存することにより、前記高周波信号を使用して送信される前記データを受信するように構成されることを特徴とする請求項１２に記載の方法。
【請求項１４】
前記ワイヤレス・デバイスは、低電力の警告を生成するように構成されることを特徴とする請求項１１に記載の方法。
【請求項１５】
前記低電力の警告は、一体的な要素および周辺機器のいずれかによって生成されることを特徴とする請求項１４に記載の方法。
【請求項１６】
各々ユニークなアドレスを有するとともに各々前記高周波信号から動作電力を生成するように構成される複数のワイヤレス・デバイスの各々から、前記基地局が、後方散乱通信を受信する工程をさらに含むことを特徴とする請求項１１に記載の方法。
【請求項１７】
前記基地局は、前記高周波信号を使用して前記ワイヤレス・デバイスの各々にデータを送信するように構成されることを特徴とする請求項１６に記載の方法。
【請求項１８】
前記ユーザに関連付けられる前記ソーシャルネットワーキング情報は、前記ユーザ・ノードと他のユーザを示す他のユーザ・ノードとの間において前記ソーシャルグラフに隔たりの次数をさらに含み、前記他のユーザは前記コンテンツ部分の１つ以上に関連付けられることを特徴とする請求項１１に記載の方法。
【請求項１９】
前記類似性係数の各々は、前記ワイヤレス・デバイスの現在位置と前記コンテンツ部分のうちの前記１つに関連付けられる位置との間の距離にさらに基づくことを特徴とする請求項１１に記載の方法。
【請求項２０】
前記ワイヤレス・デバイスに送信される前記少なくとも１つのコンテンツ部分は各々特定のしきい値類似性値を超える類似性係数に関連付けられることを特徴とする請求項１１に記載の方法。
【請求項２１】
ソフトウェアを具体化する１つまたは複数の非一時的なコンピュータ可読記憶媒体であって、該ソフトウェアは実行時に、
基地局の高周波（ＲＦ）送受信機によって、高周波信号を使用してワイヤレス・デバイスにデータを送信するように構成され、前記ワイヤレス・デバイスは、ソーシャルネットワーキング・システムのユーザに関連付けられ、前記ユーザは前記ソーシャルネットワーキング・システムのソーシャルグラフにおけるユーザ・ノードによって示され、前記基地局は、前記ソーシャルネットワーキング・システムから複数のコンテンツ部分を含む情報を受信するように構成されるネットワーク接続を含み、前記ワイヤレス・デバイスに送信される前記データは、前記ソーシャルネットワーキング・システムから受信される前記コンテンツ部分のうちの少なくとも１つを含み、前記ワイヤレス・デバイスに送信される前記データのうちの少なくともいくつかは、前記ユーザに関連付けられるソーシャルネットワーキング情報に少なくとも一部基づき制限されるか優先され、前記ユーザに関連付けられる前記ソーシャルネットワーキング情報は、前記複数のコンテンツ部分にそれぞれ対応する複数の類似性係数を含み、各類似性係数は、前記コンテンツ部分のうちの１つに対する前記ユーザの類似性を示し、かつ前記ユーザ・ノードと、前記コンテンツ部分のうちの前記１つに関連付けられる、前記ソーシャルグラフにおける他のノードとの間における前記ソーシャルグラフの隔たりの次数に少なくとも一部基づき、
また、前記ソフトウェアは実行時に、前記基地局によって、前記ワイヤレス・デバイスから他のデータを受信するように構成され、前記ワイヤレス・デバイスは、前記高周波信号から前記ワイヤレス・デバイスのための動作電力を生成し、前記高周波信号を使用して前記高周波送受信機によって送信される前記データを受信し、後方散乱通信を使用して前記ワイヤレス・デバイスから前記基地局に前記他のデータを通信するように構成されることを特徴とするコンピュータ可読記憶媒体。
【請求項２２】
前記ワイヤレス・デバイスは、前記高周波信号を使用して送信される前記データを受信するために前記高周波信号から生成される前記動作電力を使用するように構成されることを特徴とする請求項２１に記載の媒体。
【請求項２３】
前記ワイヤレス・デバイスは、前記高周波信号から生成される前記動作電力のみに依存することにより、前記高周波信号を使用して送信される前記データを受信するように構成されることを特徴とする請求項２２に記載の媒体。
【請求項２４】
前記ソフトウェアは実行時に、各々ユニークなアドレスを有するとともに各々前記高周波信号から動作電力を生成するように構成される複数のワイヤレス・デバイスの各々から、後方散乱通信を受信するようにさらに構成されることを特徴とする請求項２１に記載の媒体。
【請求項２５】
前記基地局は、前記高周波信号を使用して前記ワイヤレス・デバイスの各々にデータを送信するように構成されることを特徴とする請求項２４に記載の媒体。
【請求項２６】
前記ワイヤレス・デバイスは、低電力の警告を生成するように構成されることを特徴とする請求項２１に記載の媒体。
【請求項２７】
前記低電力の警告は、一体的な要素および周辺機器のいずれかによって生成されることを特徴とする請求項２６に記載の媒体。
【請求項２８】
前記ユーザに関連付けられる前記ソーシャルネットワーキング情報は、前記ユーザ・ノードと他のユーザを示す他のユーザ・ノードとの間において前記ソーシャルグラフに隔たりの次数をさらに含み、前記他のユーザは前記コンテンツ部分の１つ以上に関連付けられることを特徴とする請求項２１に記載の媒体。
【請求項２９】
前記類似性係数の各々は、前記ワイヤレス・デバイスの現在位置と前記コンテンツ部分のうちの前記１つに関連付けられる位置との間の距離にさらに基づくことを特徴とする請求項２１に記載の媒体。
【請求項３０】
前記ワイヤレス・デバイスに送信される前記少なくとも１つのコンテンツ部分は各々特定のしきい値類似性値を超える類似性係数に関連付けられることを特徴とする請求項２１に記載の媒体。
【手続補正２】
【補正対象書類名】明細書
【補正対象項目名】０００４
【補正方法】変更
【補正の内容】
【０００４】
所定の実施形態におけるワイヤレス通信システムは、ソーシャルネットワーキング・システムのユーザに関連付けられるワイヤレス・デバイスであって、ユーザはソーシャルネットワーキング・システムのソーシャルグラフにおけるユーザ・ノードによって示される、ワイヤレス・デバイスと、ソーシャルネットワーキング・システムから複数のコンテンツ部分を含む情報を受信するように構成されるネットワーク接続および高周波信号を使用してワイヤレス・デバイスにデータを送信するように構成される高周波（ＲＦ）送受信機を有する基地局とを備える。ワイヤレス・デバイスに送信されるデータは、ソーシャルネットワーキング・システムから受信されるコンテンツ部分のうちの少なくとも１つを含む。ワイヤレス・デバイスに送信されるデータのうちの少なくともいくつかは、ユーザに関連付けられるソーシャルネットワーキング情報に少なくとも一部基づき制限されるか優先される。ユーザに関連付けられるソーシャルネットワーキング情報は、複数のコンテンツ部分にそれぞれ対応する複数の類似性係数を含む。各類似性係数は、コンテンツ部分のうちの１つに対するユーザの類似性を示し、かつユーザ・ノードと、コンテンツ部分のうちの１つに関連付けられる他のノードとの間におけるソーシャルグラフの隔たりの次数に少なくとも一部基づく。ワイヤレス・デバイスは、高周波信号からワイヤレス・デバイスのための動作電力を生成し、高周波信号を使用して高周波送受信機によって送信されるデータを受信し、後方散乱通信を使用して基地局に他のデータを通信するように構成される。
【国際調査報告】
2016519865.tif 000029
2016519865.tif 000030